(57)【特許請求の範囲】
【請求項１】
式Ｉ：
【化１】
0004783532.tif 000039
の化合物あるいはその薬学的に受容可能な塩であって、ここで、
Ｒ1は、水素またはＮＨＲから選択され；
各Ｒは、水素または１〜６個の炭素を有する必要に応じて置換される脂肪族基から独立して選択され；
Ｔ−Ｒ2が、必要に応じて置換されるアリール基であり；
Ｒ3が、Ｒ、ＯＨ、ＯＲ、Ｎ（Ｒ8）2、ハロゲン、またはＣＮから選択され；
Ｑが、−Ｃ（＝Ｏ）−、−ＣＯ2−、−ＮＲＣＯＮＲ8−、−Ｃ（＝Ｏ）ＮＲ8−、−ＮＲＣ（＝Ｏ）−、−Ｎ（Ｒ）ＣＯＯ−、または−Ｎ（Ｒ）ＳＯ2−から選択され；
Ｒ4が、−Ｒ8、−Ｒ5、−ＮＨ2、−ＮＨＲ5、−Ｎ（Ｒ5）2、または−ＮＲ5（ＣＨ2）yＮ（Ｒ5）2から選択され；
各Ｒ5が、Ｒ6、Ｒ7、−（ＣＨ2）yＣＨ（Ｒ6）（Ｒ7）、−（ＣＨ2）yＲ6、−（ＣＨ2）yＣＨ（Ｒ6）2、−（ＣＨ2）yＣＨ（Ｒ7）2、または−（ＣＨ2）yＲ7から独立して選択され；
ｙが０〜６であり；
各Ｒ6が、脂肪族基、アリール基、アラルキル基、アラルコキシ基、ヘテロアリール基、ヘテロアリールアルキル基、ヘテロアリールアルコキシ基、ヘテロシクリル基、ヘテロシクリルアルキル基、またはヘテロシクリルアルコキシ基から独立して選択される必要に応じて置換される基であり；
各Ｒ7が、必要に応じて置換される脂肪族、ヒドロキシアルキル、アルコキシアルキル、アリールオキシアルキル、またはアルコキシカルボニルから独立して選択され；
各Ｒ8が、Ｒから独立して選択されるか、または同じ窒素上の２つのＲ8が該窒素と一緒になって必要に応じて、１〜３個のヘテロ原子を有する４〜８員の飽和または不飽和複素環式環を形成し；
各置換可能な環窒素は、Ｒ、ＮＲ2、ＣＯＲ、ＣＯ2（Ｃ1〜Ｃ6必要に応じて置換されるアルキル）、ＳＯ2（Ｃ1〜Ｃ6必要に応じて置換されるアルキル）、ＣＯＮＲ2、およびＳＯ2ＮＲ2によって必要に応じて置換され；
他に明記されない限り、各アリール基またはヘテロアリール基は、５〜１４員の単環式環系または縮合二環式環系であり、各ヘテロアリール基またはヘテロシクリル基は、窒素、酸素または硫黄から選択される１つ以上の原子を有し；そして各脂肪族基、アルキル基、またはアルキリデン基は、１〜１２個の炭素の直鎖または分枝鎖の炭化水素であり；
アリール基またはヘテロアリール基の不飽和炭素原子上の任意の置換基は、ハロゲン、−Ｒ’、−ＯＲ’、−ＳＲ’、アシルオキシ、フェニル（Ｐｈ）、−ＯＰｈ、−ＮＯ2、−ＣＮ、−Ｎ（Ｒ’）2、−ＮＲ’Ｎ（Ｒ’）2、−ＮＲ’ＣＯＮ（Ｒ’）2、−ＮＲ’ＣＯＲ’、−ＮＲ’ＣＯ2（脂肪族）、−ＣＯ2Ｒ’、−ＣＯＲ’、−Ｃ（Ｏ）Ｃ（Ｏ）Ｒ’、−ＣＯＮ（Ｒ’）2、−ＣＯＮＲ’Ｎ（Ｒ’）2、−Ｓ（Ｏ）2Ｒ’、−ＳＯＮ（Ｒ’）2、−Ｓ（Ｏ）（脂肪族）、−ＳＯ2Ｎ（Ｒ’）2、または−ＮＲ’Ｓ（Ｏ）2Ｒ’から選択され；ここで、各Ｒ’は、水素または脂肪族基から独立して選択され；
脂肪族基、アルキル基もしくはアルキリデン基または非芳香族複素環式基の飽和炭素上の任意の置換基は、アリール基上の不飽和炭素についての上記の基、ならびに＝Ｏ、＝Ｓ、＝ＮＮＨＲ’、＝ＮＮＲ’2、＝Ｎ−、ＯＲ’、＝ＮＮＨＣＯＲ’、＝ＮＮＨＣＯ2（脂肪族）、＝ＮＮＨＳＯ2（脂肪族）、または＝ＮＲ’を含み；ここで、各Ｒ’は、独立して、水素、または１〜１２個の炭素の脂肪族基から選択され；そして
ただし、Ｒ1およびＲ3がそれぞれ水素である場合、ならびにＴ−Ｒ2がピラゾール環の４位で接続される非置換のフェニル環である場合、ＱＲ4は、ＣＯＮ（ＣＨ3）2ではない、化合物。
【請求項２】
請求項１に記載の化合物であって、該化合物が、式
【化２】
0004783532.tif 000040
を有する化合物であるか、あるいはその薬学的に受容可能な塩である、化合物。
【請求項３】
請求項２に記載の化合物であって、該化合物が、以下の特徴：
（ａ）Ｑが−ＣＯ−、−ＣＯ2−、または−ＣＯＮＨ−である；（ｂ）Ｒ1が水素またはＮＨＲである；（ｃ）Ｒ4がＲ5、−ＮＨＲ5、−Ｎ（Ｒ5）2、−ＮＲ5Ｒ6、−ＮＨＣＨＲ5Ｒ6、または−ＮＨＣＨ2Ｒ5から選択される；あるいは（ｄ）Ｒ5がアリール基、アラルキル基、ヘテロアリール基、ヘテロアリールアルキル基、ヘテロシクリル基、ヘテロシクリルアルキル基、（ＣＨ2）yＲ6、（ＣＨ2）yＲ7、または（ＣＨ2）yＣＨ（Ｒ6）（Ｒ7）から選択される必要に応じて置換される基である、
の１つ以上を有し、
アリール基またはヘテロアリール基の不飽和炭素原子上の任意の置換基は、ハロゲン、−Ｒ’、−ＯＲ’、−ＳＲ’、アシルオキシ、フェニル（Ｐｈ）、−ＯＰｈ、−ＮＯ2、−ＣＮ、−Ｎ（Ｒ’）2、−ＮＲ’Ｎ（Ｒ’）2、−ＮＲ’ＣＯＮ（Ｒ’）2、−ＮＲ’ＣＯＲ’、−ＮＲ’ＣＯ2（脂肪族）、−ＣＯ2Ｒ’、−ＣＯＲ’、−Ｃ（Ｏ）Ｃ（Ｏ）Ｒ’、−ＣＯＮ（Ｒ’）2、−ＣＯＮＲ’Ｎ（Ｒ’）2、−Ｓ（Ｏ）2Ｒ’、−ＳＯＮ（Ｒ’）2、−Ｓ（Ｏ）（脂肪族）、−ＳＯ2Ｎ（Ｒ’）2、または−ＮＲ’Ｓ（Ｏ）2Ｒ’から選択され；ここで、各Ｒ’は、独立して、水素、または脂肪族基から選択され；
アルキル基または非芳香族複素環式基の飽和炭素上の任意の置換基は、アリール基上の不飽和炭素についての上記の基、ならびに＝Ｏ、＝Ｓ、＝ＮＮＨＲ’、＝ＮＮＲ’2、＝Ｎ−、ＯＲ’、＝ＮＮＨＣＯＲ’、＝ＮＮＨＣＯ2（脂肪族）、＝ＮＮＨＳＯ2（脂肪族）、または＝ＮＲ’を含み；各Ｒ’は、独立して、水素、または１〜１２個の炭素の脂肪族基から選択される、
化合物。
【請求項４】
請求項３に記載の化合物であって、該化合物が、式
【化３】
0004783532.tif 000041
を有する化合物、あるいはその薬学的に受容可能な塩である、化合物。
【請求項５】
請求項４に記載の化合物であって、該化合物が、以下の特徴：
（ａ）Ｒ4がＲ5、−ＮＨＲ5、−Ｎ（Ｒ5）2、−ＮＲ5Ｒ6、−ＮＨＣＨＲ5Ｒ6、または−ＮＨＣＨ2Ｒ5から選択される；および（ｂ）Ｒ5がアリール基、アラルキル基、ヘテロアリール基、ヘテロアリールアルキル基、ヘテロシクリル基、ヘテロシクリルアルキル基、（ＣＨ2）yＲ6、（ＣＨ2）yＲ7、または（ＣＨ2）yＣＨ（Ｒ6）（Ｒ7）から選択される必要に応じて置換される基である、
を有し、
アリール基またはヘテロアリール基の不飽和炭素原子上の任意の置換基は、ハロゲン、−Ｒ’、−ＯＲ’、−ＳＲ’、アシルオキシ、フェニル（Ｐｈ）、−ＯＰｈ、−ＮＯ2、−ＣＮ、−Ｎ（Ｒ’）2、−ＮＲ’Ｎ（Ｒ’）2、−ＮＲ’ＣＯＮ（Ｒ’）2、−ＮＲ’ＣＯＲ’、−ＮＲ’ＣＯ2（脂肪族）、−ＣＯ2Ｒ’、−ＣＯＲ’、−Ｃ（Ｏ）Ｃ（Ｏ）Ｒ’、−ＣＯＮ（Ｒ’）2、−ＣＯＮＲ’Ｎ（Ｒ’）2、−Ｓ（Ｏ）2Ｒ’、−ＳＯＮ（Ｒ’）2、−Ｓ（Ｏ）（脂肪族）、−ＳＯ2Ｎ（Ｒ’）2、または−ＮＲ’Ｓ（Ｏ）2Ｒ’から選択され；ここで、各Ｒ’は、独立して、水素、または脂肪族基から選択され；
アルキル基または非芳香族複素環式基の飽和炭素上の任意の置換基は、アリール基上の不飽和炭素についての上記の基、ならびに＝Ｏ、＝Ｓ、＝ＮＮＨＲ’、＝ＮＮＲ’2、＝Ｎ−、ＯＲ’、＝ＮＮＨＣＯＲ’、＝ＮＮＨＣＯ2（脂肪族）、＝ＮＮＨＳＯ2（脂肪族）、または＝ＮＲ’を含み；各Ｒ’は、独立して、水素、または１〜１２個の炭素の脂肪族基から選択される、
化合物。
【請求項６】
請求項１に記載の化合物であって、ここで、該化合物が、以下の式ＩＩの化合物
【表１】
0004783532.tif 000042
【表２】
0004783532.tif 000043
【表３】
0004783532.tif 000044
【表４】
0004783532.tif 000045
【表５】
0004783532.tif 000046
【表６】
0004783532.tif 000047
【表７】
0004783532.tif 000048
【表８】
0004783532.tif 000049
【表９】
0004783532.tif 000050
【表１０】
0004783532.tif 000051
【表１１】
0004783532.tif 000052
【表１２】
0004783532.tif 000053
【表１３】
0004783532.tif 000054
【表１４】
0004783532.tif 000055
【表１５】
0004783532.tif 000056
【表１６】
0004783532.tif 000057
から選択され、ここで、Ｒ１およびＲ３のそれぞれが、水素である、化合物。
【請求項７】
請求項３に記載の化合物であって、該化合物が、式：
【化４】
0004783532.tif 000058
を有する化合物であるか、あるいはその薬学的に受容可能な塩である、化合物。
【請求項８】
請求項７に記載の化合物であって、ここで、該化合物が、以下の特徴：
（ａ）Ｒ4がＲ5、−ＮＨＲ5、−Ｎ（Ｒ5）2、−ＮＲ5Ｒ6、−ＮＨＣＨＲ5Ｒ6、または−ＮＨＣＨ2Ｒ5から選択される；あるいは（ｂ）Ｒ5がアリール基、アラルキル基、ヘテロアリール基、ヘテロアリールアルキル基、ヘテロシクリル基、ヘテロシクリルアルキル基、（ＣＨ2）yＲ6、（ＣＨ2）yＲ7、または（ＣＨ2）yＣＨ（Ｒ6）（Ｒ7）から選択される必要に応じて置換される基である、
の１つ以上を有し、
アリール基またはヘテロアリール基の不飽和炭素原子上の任意の置換基は、ハロゲン、−Ｒ’、−ＯＲ’、−ＳＲ’、アシルオキシ、フェニル（Ｐｈ）、−ＯＰｈ、−ＮＯ2、−ＣＮ、−Ｎ（Ｒ’）2、−ＮＲ’Ｎ（Ｒ’）2、−ＮＲ’ＣＯＮ（Ｒ’）2、−ＮＲ’ＣＯＲ’、−ＮＲ’ＣＯ2（脂肪族）、−ＣＯ2Ｒ’、−ＣＯＲ’、−Ｃ（Ｏ）Ｃ（Ｏ）Ｒ’、−ＣＯＮ（Ｒ’）2、−ＣＯＮＲ’Ｎ（Ｒ’）2、−Ｓ（Ｏ）2Ｒ’、−ＳＯＮ（Ｒ’）2、−Ｓ（Ｏ）（脂肪族）、−ＳＯ2Ｎ（Ｒ’）2、または−ＮＲ’Ｓ（Ｏ）2Ｒ’から選択され；ここで、各Ｒ’は、独立して、水素、または脂肪族基から選択され；
アルキル基または非芳香族複素環式基の飽和炭素上の任意の置換基は、アリール基上の不飽和炭素についての上記の基、ならびに＝Ｏ、＝Ｓ、＝ＮＮＨＲ’、＝ＮＮＲ’2、＝Ｎ−、ＯＲ’、＝ＮＮＨＣＯＲ’、＝ＮＮＨＣＯ2（脂肪族）、＝ＮＮＨＳＯ2（脂肪族）、または＝ＮＲ’を含み；各Ｒ’は、独立して、水素、または１〜１２個の炭素の脂肪族基から選択される、
化合物。
【請求項９】
請求項１に記載の化合物であって、ここで、該化合物が、以下の式ＩＩ−Ｂの化合物
【表１７】
0004783532.tif 000059
【表１８】
0004783532.tif 000060
から選択される、化合物。
【請求項１０】
組成物であって、該組成物が、プロテインキナーゼ活性を検出可能に阻害するのに十分な量の請求項１〜９のいずれか一項に記載の化合物、および薬学的に受容可能なキャリアを含み、該プロテインキナーゼが、細胞外シグナル調節キナーゼ（ＥＲＫ）、ヤヌスキナーゼ（ＪＡＫ）、Ｊｕｎ  Ｎ末端キナーゼ（ＪＮＫ）、Ａｕｒｏｒａキナーゼ、グリコーゲンシンターゼキナーゼ（ＧＳＫ）、脈管内皮増殖因子レセプター−２キナーゼ（ＫＤＲ）、プロテインキナーゼ  Ｂ（ＡＫＴ）またはそれらに関連するプロテインキナーゼのうちの１つ以上から選択され、ここで、該組成物が、癌、発作、糖尿病、肝腫、心臓肥大、動脈硬化、心筋梗塞、うっ血性心不全、アルツハイマー病、嚢胞性線維症、ウイルス疾患、自己免疫疾患、アテローム性動脈硬化症、再狭窄、乾癬、アレルギー性障害、炎症、免疫不全障害、破壊性骨障害、増殖性障害、感染性疾患、トロンビン誘導血小板凝集、慢性骨髄性白血病（ＣＭＬ）、肝臓疾患、またはＣＮＳ障害を処置するのに有用である、
組成物。
【請求項１１】
請求項１０に記載の組成物であって、ここで、前記化合物が、患者への投与について薬学的に受容可能な方法で処方される、組成物。
【請求項１２】
生物学的サンプル中においてプロテインキナーゼ活性をインビトロで阻害するための組成物であって、ここで、該プロテインキナーゼが、細胞外シグナル調節キナーゼ（ＥＲＫ）、ヤヌスキナーゼ（ＪＡＫ）、Ｊｕｎ  Ｎ末端キナーゼ（ＪＮＫ）、Ａｕｒｏｒａキナーゼ、グリコーゲンシンターゼキナーゼ（ＧＳＫ）、脈管内皮増殖因子レセプター−２キナーゼ（ＫＤＲ）、プロテインキナーゼ  Ｂ（ＡＫＴ）またはそれらに関連するプロテインキナーゼから選択され、該組成物が、請求項１〜９のいずれか１つに記載の化合物を含有する、組成物。
【請求項１３】
患者における疾患状態を処置するための医薬の調製における請求項１０に記載の組成物の使用であって、ここで、該疾患状態が、癌、発作、糖尿病、肝腫、心臓肥大、動脈硬化、心筋梗塞、うっ血性心不全、アルツハイマー病、嚢胞性線維症、ウイルス疾患、自己免疫疾患、アテローム性動脈硬化症、再狭窄、乾癬、アレルギー性障害、炎症、免疫不全障害、破壊性骨障害、増殖性障害、感染性疾患、トロンビン誘導血小板凝集、慢性骨髄性白血病（ＣＭＬ）、またはＴ細胞活性化を含む病理学的免疫状態から選択される、使用。
【請求項１４】
請求項１３に記載の使用であって、ここで、前記疾患状態が、癌である、使用。
【請求項１５】
請求項１４に記載の使用であって、ここで、前記疾患状態が、乳癌；卵巣癌；頚部癌；前立腺癌；精巣癌；尿生殖器癌；食道癌；喉頭癌；グリア芽細胞腫；神経芽細胞腫；胃癌；皮膚、角化棘細胞腫；肺、類表皮癌、大細胞癌、小細胞癌、肺腺癌；骨の癌；結腸癌、腺種；膵臓癌、腺癌；甲状腺、濾胞状癌、未分化癌、乳頭状癌；セミノーマ；メラノーマ；肉腫；膀胱癌；肝臓癌および胆管通路癌；腎臓癌；骨髄障害；リンパ障害、ホジキン病、毛様細胞；口腔前庭および咽頭（口腔）、唇、舌、口、咽頭の癌；小腸癌；結腸−直腸、大腸、直腸癌；脳および中枢神経系の癌；または白血病から選択される癌である、使用。
【請求項１６】
請求項１４または１５のいずれかに記載の使用であって、前記医薬が、前記化合物とともに複数の投薬形態の一部としてさらなる治療剤を含む、使用。
【請求項１７】
請求項１３に記載の使用であって、ここで、前記疾患状態が、再狭窄、心臓肥大、動脈硬化、心筋梗塞、またはうっ血性心不全から選択される、使用。
【請求項１８】
請求項１７に記載の使用であって、前記組成物が、前記化合物とともに複数の投薬形態の一部としてさらなる治療剤を含み、該さらなる治療剤が、βブロッカー、アセチルコリンエステラーゼインヒビター、利尿薬、ニトレート、カルシウムチャネルブロッカー、またはスタチンから選択される、使用。
【請求項１９】
移植可能デバイスをコーティングするための組成物であって、請求項１に記載の化合物および該移植可能デバイスをコーティングするために適切なキャリアを含む、組成物。
【請求項２０】
請求項１９に記載の組成物を用いてコーティングされる、移植可能デバイス。
【請求項２１】
患者における疾患状態を処置するための請求項１０に記載の組成物であって、ここで、該疾患状態が、癌、発作、糖尿病、肝腫、心臓肥大、動脈硬化、心筋梗塞、うっ血性心不全、アルツハイマー病、嚢胞性線維症、ウイルス疾患、自己免疫疾患、アテローム性動脈硬化症、再狭窄、乾癬、アレルギー性障害、炎症、免疫不全障害、破壊性骨障害、増殖性障害、感染性疾患、トロンビン誘導血小板凝集、慢性骨髄性白血病（ＣＭＬ）、またはＴ細胞活性化を含む病理学的免疫状態から選択される、組成物。
【請求項２２】
請求項２１に記載の組成物であって、ここで、前記疾患状態が、癌である、組成物。
【請求項２３】
請求項２２に記載の組成物であって、ここで、前記疾患状態が、乳癌；卵巣癌；頚部癌；前立腺癌；精巣癌；尿生殖器癌；食道癌；喉頭癌；グリア芽細胞腫；神経芽細胞腫；胃癌；皮膚、角化棘細胞腫；肺、類表皮癌、大細胞癌、小細胞癌、肺腺癌；骨の癌；結腸癌、腺種；膵臓癌、腺癌；甲状腺、濾胞状癌、未分化癌、乳頭状癌；セミノーマ；メラノーマ；肉腫；膀胱癌；肝臓癌および胆管通路癌；腎臓癌；骨髄障害；リンパ障害、ホジキン病、毛様細胞；口腔前庭および咽頭（口腔）、唇、舌、口、咽頭の癌；小腸癌；結腸−直腸、大腸、直腸癌；脳および中枢神経系の癌；または白血病から選択される癌である、組成物。
【請求項２４】
請求項２２または２３のいずれかに記載の組成物であって、該組成物が、複数の投薬形態の一部としてさらなる治療剤とともに投与されることを特徴とする、組成物。
【請求項２５】
請求項２１に記載の組成物であって、ここで、前記疾患状態が、再狭窄、心臓肥大、動脈硬化、心筋梗塞、またはうっ血性心不全から選択される、組成物。
【請求項２６】
請求項２５に記載の組成物であって、該組成物が、複数の投薬形態の一部としてさらなる治療剤とともに投与されることを特徴とし、該さらなる治療剤が、βブロッカー、アセチルコリンエステラーゼインヒビター、利尿薬、ニトレート、カルシウムチャネルブロッカー、またはスタチンから選択される、組成物。
【発明の詳細な説明】
【０００１】
本願は、２０００年２月５日に出願された米国仮出願番号６０／１８０，５０６；２０００年１０月２４日に出願された米国仮出願番号６０／２４２，９３５；および２０００年３月２４日に出願された米国仮出願番号６０／１９１，９５６の利益を主張する。
【０００２】
（発明の分野）
本発明は、医療化学の分野に属し、そしてプロテインキナーゼインヒビター（特に、ＥＲＫのインヒビター）であるピラゾール化合物、このような化合物を含有する組成物、および使用方法に関する。これらの化合物は、癌およびプロテインキナーゼインヒビターにより軽減される他の疾患状態を処置するために有用である。
【０００３】
（発明の背景）
哺乳動物マイトジェン活性化タンパク質（ＭＡＰ）１キナーゼは、細胞内シグナル伝達経路を媒介するセリン／トレオニンキナーゼである（ＣｏｂｂおよびＧｏｌｄｓｍｉｔｈ、１９９５、Ｊ  Ｂｉｏｌ．Ｃｈｅｍ．、２７０、１４８４３；Ｄａｖｉｓ、１９９５、Ｍｏｌ．Ｒｅｐｒｏｄ．Ｄｅｖ．４２、４５９）。ＭＡＰキナーゼファミリーのメンバーは、配列相同性および保存的構造ドメインを共有し、そしてＥＲＫ（細胞外シグナル調節キナーゼ）、ＪＮＫ（Ｊｕｎ  Ｎ末端キナーゼ）、およびｐ３８キナーゼを含む。ＪＮＫおよびｐ３８キナーゼは、炎症前サイトカインＴＮＦ−αおよびインターロイキン−１に応答して、そして細胞ストレス（例えば、熱ショック、高浸透圧症、紫外線照射、リポ多糖類、およびタンパク質合成のインヒビター）により、活性化される（Ｄｅｒｉｊａｒｄら、１９９４、Ｃｅｌｌ  ７６、１０２５；Ｈａｎら、１９９４、Ｓｃｉｅｎｃｅ  ２６５、８０８；Ｒａｉｎｇｅａｕｄら、１９９５、Ｊ  Ｂｉｏｌ．Ｃｈｅｍ．２７０、７４２０；ＳｈａｐｉｒｏおよびＤｉｎａｒｅｌｌｏ、１９９５、Ｐｒｏｃ．Ｎａｔｌ．Ａｃａｄ．Ｓｃｉ．ＵＳＡ  ９２、１２２３０）。対照的に、ＥＲＫは、マイトジェンおよび増殖因子により活性化される（Ｂｏｋｅｍｅｙｅｒら、１９９６、Ｋｉｄｎｅｙ  Ｉｎｔ．４９、１１８７）。
【０００４】
ＥＲＫ２は、広く分布するプロテインキナーゼであり、これは、Ｔｈｒ１８３とＴｙｒ１８５との両方が上流ＭＡＰキナーゼキナーゼであるＭＥＫ１によりリン酸化される場合に、最大の活性を達成する（Ａｎｄｅｒｓｏｎら、１９９０、Ｎａｔｕｒｅ  ３４３、６５ｌ；Ｃｒｅｗｓら、１９９２、Ｓｃｉｅｎｃｅ  ２５８、４７８）。活性化の際に、ＥＲＫ２は、多くの調節タンパク質（プロテインキナーゼＲｓｋ９０（Ｂｊｏｒｂａｅｋら、１９９５、Ｊ．Ｂｉｏｌ．Ｃｈｅｍ．２７０、１８８４８）およびＭＡＰＫＡＰ２（Ｒｏｕｓｅら、１９９４、Ｃｅｌｌ  ７８、１０２７）が挙げられる）、ならびに転写因子（例えば、ＡＴＦ２（Ｒａｉｎｇｅａｕｄら、１９９６、Ｍｏｌ．Ｃｅｌｌ  Ｂｉｏｌ．１６、１２４７）、Ｅｌｋ−１（Ｒａｉｎｇｅａｕｄら、１９９６）、ｃ−Ｆｏｓ（Ｃｈｅｎら、１９９３  Ｐｒｏｃ．Ｎａｔｌ．Ａｃａｄ．Ｓｃｉ．ＵＳＡ  ９０、１０９５２）、ならびにｃ−Ｍｙｃ（Ｏｌｉｖｅｒら、１９９５、Ｐｒｏｃ．Ｓｏｃ．Ｅｘｐ．Ｂｉｏｌ．Ｍｅｄ．２１０、１６２））をリン酸化する。ＥＲＫ２もまた、Ｒａｓ／Ｒａｆ依存性経路の下流標的であり（Ｍｏｏｄｉｅら、１９９３、Ｓｃｉｅｎｃｅ  ２６０、１６５８）、そしてこれらの潜在的に腫瘍形成性のタンパク質からのシグナルの中継を補助し得る。ＥＲＫ２は、乳癌細胞のネガティブ増殖制御において役割を果たすことが示され（ＦｒｅｙおよびＭｕｌｄｅｒ、１９９７、Ｃａｎｃｅｒ  Ｒｅｓ．５７、６２８）、そしてヒト乳癌におけるＥＲＫ２の過剰発現が、報告されている（Ｓｉｖａｒａｍａｎら、１９９７、Ｊ  Ｃｌｉｎ．Ｉｎｖｅｓｔ．９９、１４７８）。活性化ＥＲＫ２もまた、エンドセリンにより刺激される気道平滑筋細胞の増殖に関連した。このことは、このキナーゼの、喘息における役割を示唆する（Ｗｈｅｌｃｈｅｌら、１９９７、Ａｍ．Ｊ．Ｒｅｓｐｉｒ．Ｃｅｌｌ  Ｍｏｌ．Ｂｉｏｌ．１６、５８９）。
【０００５】
（ＭＡＰ）１キナーゼのＪＮＫファミリーは、種々の障害（癌（Ｏｎｃｏｇｅｎｅ  １９９６、１３、１３５−４２）、肝障害（Ｈｅｐａｔｏｌｏｇｙ  １９９８、２８、ｌ０２２−３０）、心臓血管障害（Ｃｉｒｃ．Ｒｅｓ、１９９８、８３、１６７−７８；Ｃｉｒｃｕｌａｔｉｏｎ  １９９８、９７：１７３１−７；Ｊ．Ｂｉｏｌ．Ｃｈｅｍ．１９９７、２７２、２８０５０−６；Ｃｉｒｃ．Ｒｅｓ．１９９６、７９、１６２−７３；Ｃｉｒｃ．Ｒｅｓ．１９９６、７８、９４７−５３；Ｊ．Ｃｌｉｎ．Ｉｎｖｅｓｔ．１９９６、９７、５０８−１４）、および免疫欠損（とりわけＪ．Ｉｍｍｕｎｏｌ．１９９９、１６２、３１７６−８７；Ｅｕｒ．Ｊ．Ｉｍｍｕｎｏｌ、１９９８、２８、３８６７−７７；Ｊ．Ｅｘｐ．Ｍｅｄ．１９９７、１８６、９４１−５３；Ｅｕｒ．Ｊ．Ｉｍｍｕｎｏｌ．１９９６、２６、９８９−９４）が挙げられる）に対する細胞性応答の媒介における役割を有することに、関連した。
【０００６】
Ａｕｒｏｒａ２は、ヒト癌（例えば、結腸腫瘍、乳房腫瘍および他の固形腫瘍）に関連した、セリン／トレオニンプロテインキナーゼである。このキナーゼは、細胞周期を調節するタンパク質リン酸化事象に関与すると考えられる。特に、Ａｕｒｏｒａ２は、細胞増加の間の染色体の正確な分離を制御する際に、役割を果たし得る。細胞周期の誤調節は、細胞の増殖および他の異常をもたらし得る。ヒト結腸癌組織において、Ａｕｒｏｒａ２タンパク質は、過剰発現されることが見出されている。Ｂｉｓｃｈｏｆｆら、ＥＭＢＯ  Ｊ．、１９９８、１７、３０５２−３０６５；Ｓｃｈｕｍａｃｈｅｒら、Ｊ．Ｃｅｌｌ  Ｂｉｏｌ．、１９９８、１４３、１６３５−１６４６；Ｋｉｍｕｒａら、Ｊ．Ｂｉｏｌ．Ｃｈｅｍ．、１９９７、２７２、１３７６６−１３７７１を参照のこと。
【０００７】
グリコーゲンシンターゼキナーゼ−３（ＧＳＫ−３）は、各々が別の遺伝子によりコードされるαアイソフォームおよびβアイソフォームからなる、セリン／トレオニンプロテインキナーゼである［Ｃｏｇｈｌａｎら、Ｃｈｅｍｉｓｔｒｙ  ＆  Ｂｉｏｌｏｇｙ、７、７９３−８０３（２０００）；ＫｉｍおよびＫｉｍｍｅｌ、Ｃｕｒｒ．Ｏｐｉｎｉｏｎ  Ｇｅｎｅｔｉｃｓ  Ｄｅｖ．、１０、５０８−５１４（２０００）］。ＧＳＫ−３は、糖尿病、アルツハイマー病、ＣＮＳ障害（例えば、躁鬱病および神経変性疾患）ならびに心臓筋細胞（ｃａｒｄｉｏｍｙｏｃｅｔｅ）肥大を含む種々の疾患に関連した［ＷＯ  ９９／６５８９７；ＷＯ  ００／３８６７５；およびＨａｑら、Ｊ．Ｃｅｌｌ  Ｂｉｏｌ（２０００）１５１、１１７］。これらの疾患は、ＧＳＫ−３が役割を果たす特定の細胞信号伝達経路の異常な作用により引き起こされ得るか、またはこのような作用を生じ得る。
【０００８】
ＫＤＲは、ＶＥＧＦ（脈管内皮増殖因子）をまた結合するチロシンキナーゼレセプターである（Ｎｅｕｆｅｌｄら、１９９９、ＦＡＳＥＢ  Ｊ．１３、９）。ＶＥＧＦをＫＤＲレセプターに結合することは、新脈管形成を導き、これは、前から存在する血管からの毛細管の新芽である。高レベルのＶＥＧＦは、腫瘍新脈管形成を引き起こし、そして癌細胞の急速な増殖を可能にする種々の癌において見出される。従って、ＶＥＧＦ活性を抑制することは、腫瘍増殖を阻害するための方法であり、そしてＶＥＧＦ活性を抑制することは、ＫＤＲレセプターチロシンキナーゼを阻害することによって達成され得ることを示している。
【０００９】
ＡＫＴ（これはまた、プロテインキナーゼＢとして公知である）は、幅広い範囲の細胞型の生存を促進する際に中心的な役割を演じるセリン／トレオニンキナーゼである［Ｋｈｗａｊａ，Ａ．ら、Ｎａｔｕｒｅ、３３頁〜３４頁（１９９０）］。Ｚｈａｎｇらによって、ヒト卵巣癌細胞が上昇したレベルのＡＫＴ−１およびＡＫＴ−２を示すことが示された。ＡＫＴの阻害は、これらのヒト卵巣癌細胞のアポトーシスを誘導し、これは、ＡＫＴが卵巣癌処置［Ｚａｎｇ，Ｑ．Ｙ．ら、Ｏｎｃｏｇｅｎｅ，１９（２０００）］および他の増殖性障害に対して重要な標的であり得ることを示す。ＡＫＴ経路はまた、運動ニューロン生存および神経再生において関係している［Ｋａｚｕｈｉｋｏ，Ｎら、Ｔｈｅ  Ｊｏｕｒｎａｌ  ｏｆ  Ｎｅｕｒｏｓｃｉｅｎｃｅ，２０（２０００）］。
【００１０】
プロテインキナーゼインヒビター（特に、ＥＲＫインヒビター）を開発するための非常にまだ満たされていない医療的必要性が存在し、プロテインキナーゼインヒビターは、特に、これらの状態の大部分に対する現在利用可能な比較的不適切な処置の選択を考慮すると、ＥＲＫ活性化に関連する種々の状態を処置する際に有用である。
【００１１】
従って、プロテインキナーゼ活性と関連する種々の状態を処置する際に有用なプロテインキナーゼの強力なインヒビター（ＥＲＫインヒビターを含む）を開発する大きな必要性がなお存在する。
【００１２】
（発明の説明）
現在、本発明の化合物およびその組成物は、プロテインキナーゼインヒビター（特に、ＥＲＫのインヒビター）として効果的であることが分かった。これらの化合物は、一般式Ｉ：
【００１３】
【化５】
0004783532.tif 000002
またはその薬学的に受容可能な誘導体を有し、ここで：
Ｒ1は、Ｒ、ハロゲン、Ｎ（Ｒ8）2、ＯＲ、ＮＲＣＯＲ、ＮＲＣＯＮ（Ｒ8）2、ＣＯＮ（Ｒ8）2、ＳＯ2Ｒ、ＮＲＳＯ2Ｒ、またはＳＯ2Ｎ（Ｒ8）2から選択され；
Ｔは、原子価結合またはリンカー基から選択され；
各Ｒは、水素または１〜６個の炭素を有する必要に応じて置換される脂肪族基から独立して選択され；
Ｒ2が、水素、ＣＮ、ハロゲン、アリール、アラルキル、ヘテロアリール、ヘテロシクリル、１〜６個の炭素を有する必要に応じて置換される非環式脂肪族鎖基、または４〜１０個の炭素を有する必要に応じて置換される環式脂肪族基から選択され；
Ｒ3が、Ｒ、ＯＨ、ＯＲ、Ｎ（Ｒ8）2、ハロゲン、またはＣＮから選択され；
Ｑが、原子価結合、Ｊ、または必要に応じて置換されるＣ1-6アルキリデン鎖であり、ここで、該アルキリデン鎖の２個までの非隣接炭素が、それぞれ、必要に応じて、独立してＪによって置換され；
Ｊが、−Ｃ（＝Ｏ）−、−ＣＯ2−、−Ｃ（Ｏ）Ｃ（Ｏ）−、−ＮＲＣＯＮＲ8−、−Ｎ（Ｒ）Ｎ（Ｒ8）−、−Ｃ（＝Ｏ）ＮＲ8−、−ＮＲＣ（＝Ｏ）−、−Ｏ−、−Ｓ−、−ＳＯ−、−ＳＯ2−、−Ｎ（Ｒ）Ｏ−、−ＯＮ（Ｒ8）−、−ＯＣ（＝Ｏ）Ｎ（Ｒ8）−、−Ｎ（Ｒ）ＣＯＯ−、−ＳＯ2Ｎ（Ｒ8）−、−Ｎ（Ｒ）ＳＯ2−、または−Ｎ（Ｒ8）−から選択され；
Ｒ4が、−Ｒ8、−Ｒ5、−ＮＨ2、−ＮＨＲ5、−Ｎ（Ｒ5）2、または−ＮＲ5（ＣＨ2）yＮ（Ｒ5）2から選択され；
各Ｒ5が、Ｒ6、Ｒ7、−（ＣＨ2）yＣＨ（Ｒ6）（Ｒ7）、−（ＣＨ2）yＲ6、−（ＣＨ2）yＣＨ（Ｒ6）2、−（ＣＨ2）yＣＨ（Ｒ7）2、または−（ＣＨ2）yＲ7から独立して選択され；
ｙが０〜６であり；
各Ｒ6が、脂肪族基、アリール基、アラルキル基、アラルコキシ基、ヘテロアリール基、ヘテロアリールアルキル基、ヘテロアリールアルコキシ基、ヘテロシクリル基、ヘテロシクリルアルキル基、またはヘテロシクリルアルコキシ基から独立して選択される必要に応じて置換される基であり；
各Ｒ7が、必要に応じて置換されるヒドロキシアルキル、アルコキシアルキル、アリールオキシアルキル、またはアルコキシカルボニルから独立して選択され；
各Ｒ8が、Ｒから独立して選択されるか、または同じ窒素上の２つのＲ8がこの窒素と一緒になって必要に応じて、１〜３個のヘテロ原子を有する４〜８員の飽和または不飽和複素環式環を形成し；
そして、各置換可能な環窒素は、Ｒ、ＮＲ2、ＣＯＲ、ＣＯ2（Ｃ1〜Ｃ6必要に応じて置換されるアルキル）、ＳＯ2（Ｃ1〜Ｃ6必要に応じて置換されるアルキル）、ＣＯＮＲ2、およびＳＯ2ＮＲ2によって必要に応じて置換される。
【００１４】
本明細書中で使用される場合、以下の定義は、他に示されない場合に適用される。また、置換または変数の組み合わせは、このような組み合わせが安定な化合物を生じる場合のみ許容される。
【００１５】
本明細書中で使用される場合、用語「脂肪族」は、直鎖、分枝鎖または環式Ｃ1〜Ｃ12炭化水素を意味し、これは、完全に飽和であるか、または一つ以上の不飽和の単位を含む。例えば、適切な脂肪族基には、置換または非置換の、直鎖、分枝鎖または環式のアルキル、アルケニル、アルキニル基およびそれらのハイブリッド（例えば、（シクロアルキル）アルキル、（シクロアルケニル）アルキルまたは（シクロアルキル）アルケニル）が挙げられる。単独でまたは大きな部分の一部として使用される用語「アルキル」および「アルコキシ」は、１〜１２個の炭素原子を含む直鎖と分枝鎖の両方を示す。単独でまたは大きな部分の一部として使用される用語「アルケニル」および「アルキニル」は、２〜１２個の炭素原子を含む直鎖と分枝鎖の両方を含む。用語「ハロアルキル」、「ハロアルケニル」および「ハロアルコキシ」は、アルキル、アルケニルまたはアルコキシを意味し、場合によって、１つ以上のハロゲン原子で置換される。用語「ハロゲン」は、Ｆ、Ｃｌ、Ｂｒ、またはＩを意味する。用語「ヘテロ原子」は、Ｎ、Ｏ、またはＳを意味し、窒素および硫黄の任意の酸化形態ならびに任意の塩基性窒素の四級化形態を含む。
【００１６】
単独でまたは「アラルキル」として大きな部分の一部として使用される用語「アリール」は、５〜１４員を有する芳香族環基を示し、例えば、フェニル、ベンジル、１−ナフチル、２−ナフチル、１−アントラシルおよび２−アントラシルならびに複素環式芳香族基またはヘテロアリール基が挙げられ、例えば、２−フラニル、３−フラニル、Ｎ−イミダゾリル、２−イミダゾリル、４−イミダゾリル、５−イミダゾリル、３−イソオキサゾリル、４−イソオキサゾリル、５−イソオキサゾリル、２−オキサジアゾリル、５−オキサジアゾリル、２−オキサゾリル、４−オキサゾリル、５−オキサゾリル、２−ピロリル、３−ピロリル、２−ピリジル、３−ピリジル、４−ピリジル、２−ピリミジル、４−ピリミジル、５−ピリミジル、３−ピリダジニル、２−チアゾリル、４−チアゾリル、５−チアゾリル、５−テトラゾリル、２−トリアゾリル、５−トリアゾリル、２−チエニル、または３−チエニルが挙げられる。用語「アリール環」はまた、必要に応じて置換される環を示す。
【００１７】
アリール基はまた、縮合多環式芳香族環系を含み、ここで、炭素環式芳香族環またはヘテロアリール環は、一つ以上の他の環に縮合される。例としては、テトラヒドロナフチル、ベンズイミダゾリル、ベンゾチエニル、ベンゾフラニル、インドリル、キノリニル、ベンゾチアゾリル、ベンゾオキサゾリル、ベンズイミダゾリル、イソキノリニル、イソインドリル、アクリジニル、ベンゾイソオキサゾリルなどが挙げられる。また、本明細書中で使用される場合、用語「アリール」の範囲内には、一つ以上の炭素環式芳香族環および／またはヘテロアリール環がシクロアルキルまたは非芳香族複素環式環に縮合される基（例えば、インダニルまたはテトラヒドロベンゾピラニル）が含まれる。
【００１８】
非芳香族複素環式環には、一つ以上の環炭素が、その環内において、窒素、酸素または硫黄のようなへテロ原子によって置換される非芳香族炭素環式環である。この環は、５、６、７または８員であり得、そして／あるいは別の環（例えば、シクロアルキル環または芳香族環）に縮合され得る。例としては、３−１Ｈ−ベンズイミダゾール−２−オン、３−（１−アルキル）−ベンズイミダゾール−２−オン、２−テトラヒドロフラニル、３−テトラヒドロフラニル、２−テトラヒドロチオフェニル、３−テトラヒドロチオフェニル、２−モルホリノ、３−モルホリノ、４−モルホリノ、２−チオモルホリノ、３−チオモルホリノ、４−チオモルホリノ、１−ピロリジニル、２−ピロリジニル、３−ピロリジニル、１−ピペラジニル、２−ピペラジニル、１−ピペリジニル、２−ピペリジニル、３−ピペリジニル、４−ピペリジニル、４−チアゾリジニル、ジアゾロニル、Ｎ−置換ジアゾロニル、１−フタルイミジニル、ベンゾオキサン（ｂｅｎｚｏｘａｎｅ）、ベンゾトリアゾール−１−イル、ベンゾピロリジン、ベンゾピペリジン、ベンゾオキソラン（ｂｅｎｚｏｘｏｌａｎｅ）、ベンゾチオラン（ｂｅｎｚｏｔｈｉｏｌａｎｅ）、およびベンゾチアン（ｂｅｎｚｏｔｈｉａｎｅ）が挙げられる。用語「複素環式環」はまた、飽和または不飽和に関わらず、必要に応じて置換される環を示す。
【００１９】
アリール基（炭素環式および複素環式）またはアラルキル基（例えば、ベンジルまたはフェネチル）は、一つ以上の置換基を含み得る。アリール基の不飽和炭素原子上の適切な置換基の例としては、ハロゲン、−Ｒ、−ＯＲ、−ＳＲ、保護されたＯＨ（例えば、アシルオキシ）、フェニル（Ｐｈ）、置換Ｐｈ、−ＯＰｈ、置換−ＯＰｈ、−ＮＯ2、−ＣＮ、−Ｎ（Ｒ）2、−ＮＲＮ（Ｒ）2、−ＮＲＣＯＮ（Ｒ）2、−ＮＲＣＯＲ、−ＮＲＣＯ2（脂肪族）、−ＣＯ2Ｒ、−ＣＯＲ、−Ｃ（Ｏ）Ｃ（Ｏ）Ｒ、−ＣＯＮ（Ｒ）2、−ＣＯＮＲＮ（Ｒ）2、−Ｓ（Ｏ）2Ｒ、−ＳＯＮ（Ｒ）2、−Ｓ（Ｏ）（脂肪族）、−ＳＯ2Ｎ（Ｒ）2、または−ＮＲＳ（Ｏ）2Ｒが挙げられ、ここで、各Ｒは、独立して、水素、脂肪族基または置換脂肪族基から選択される。
【００２０】
脂肪族基または非芳香族複素環式環は、一つ以上の置換基を含み得る。脂肪族基または非芳香族複素環式環の飽和炭素上の適切な置換基の例としては、不飽和炭素について上で列挙された置換基、ならびに以下：＝Ｏ、＝Ｓ、＝ＮＮＨＲ、＝ＮＮＲ2、＝Ｎ−、ＯＲ、＝ＮＮＨＣＯＲ、＝ＮＮＨＣＯ2（脂肪族）、＝ＮＮＨＳＯ2（脂肪族）、または＝ＮＲが挙げられ、ここで、各Ｒが、水素、脂肪族基または置換脂肪族基から独立して選択される。
【００２１】
用語「アルキリデン鎖」は、必要に応じて置換される、直鎖または分枝鎖の炭素鎖を示し、これは、完全に飽和であり得るかまたは一つ以上の不飽和の単位を有し得る。必要に応じた置換基は、脂肪族基について上で記載したものと同じである。ＱのＣ1-6アルキリデン（ａｌｋｙｌｉｄｉｎｅ）鎖の必要に応じた置換基は、脂肪族基について上で記載された置換基を含む。
【００２２】
芳香族環または非芳香族の複素環式環上の置換可能な窒素は、必要に応じて置換される。窒素上の適切な置換基には、Ｒ、ＣＯＲ、Ｎ（Ｒ）2、ＣＯＮ（Ｒ）2、ＣＯＮＲＮ（Ｒ）2、Ｓ（Ｏ）2ＲおよびＣＯ2Ｒが挙げられ、ここで、Ｒは、水素、必要に応じて置換されるアリールまたは脂肪族基から独立して選択される。
【００２３】
用語「リンカー基」は、化合物の２つの部分を接続する有機部分を意味する。リンカーは、典型的には、酸素または硫黄のような原子、−ＮＨ−または−ＣＨ2−のような単位、またはアルキリデン鎖のような原子の鎖から構成される。リンカーの分子量は、典型的には、約１４〜２００の範囲である。リンカーの例としては、飽和または不飽和のＣ1-6アルキリデン鎖が挙げられ、これは、必要に応じて置換され、そしてここで、鎖の２個までの飽和炭素が、必要に応じて、−Ｃ（＝Ｏ）−、−ＣＯＮＨ−、ＣＯＮＨＮＨ−、−ＣＯ2−、−ＮＨＣＯ2−、−Ｏ−、−ＮＨＣＯＮＨ−、−ＯＣ（＝Ｏ）−、−ＯＣ（＝Ｏ）ＮＨ−、−ＮＨＮＨ−、−ＮＨＣＯ−、−Ｏ−、−Ｓ−、−ＳＯ−、−ＳＯ2−、−ＮＨ−、−ＳＯ2ＮＨ−またはＮＨＳＯ2−によって置換される。
【００２４】
本発明の特定の化合物が互変異性体形態で存在し得、その化合物の全てのこのような互変異性体形態が、本発明の範囲内であることは、当業者に明かである。
【００２５】
他に示されない場合、本明細書中に示される構造はまた、その構造の全ての立体化学形態（すなわち、それぞれの不斉中心についてのＲおよびＳの配置）を含むことを意味する。従って、本発明の化合物の単一の立体化学異性体ならびにエナンチオマー混合物およびジアステレオマー混合物が、本発明の範囲内である。他に示されない場合、本明細書中に示される構造はまた、一つ以上の同位体的に濃縮された原子の存在においてのみ異なる化合物を含むことを意味する。例えば、水素の重水素またはトリチウムによる置換、あるいは炭素の13Ｃ−または14Ｃ濃縮炭素による置換を除いて本発明の構造を有する化合物は、本発明の範囲内である。
【００２６】
本発明の１つの実施形態は、式ＩＩ：
【００２７】
【化６】
0004783532.tif 000003
の化合物に関連し、ここで、Ｒ1、Ｒ2、Ｒ3、Ｒ4、Ｔ、およびＱが、上で記載された通りである。
【００２８】
本発明の好ましい実施形態は、式：
【００２９】
【化７】
0004783532.tif 000004
を有する化合物に関し、ここで、Ｔ、Ｒ2、およびＲ4は、上で定義された通りであり、Ｒ1およびＲ3がそれぞれ水素である。
【００３０】
好ましい化合物には、以下の特徴の一つ以上（最も好ましくは全て）を有する化合物が挙げられる：
（ａ）Ｑが−ＣＯ−、−ＣＯ2−、または−ＣＯＮＨ−である；（ｂ）Ｔが原子価結合である；（ｃ）Ｒ1が水素またはＮＨＲである；（ｄ）Ｒ2が必要に応じて置換されるアリール環であり、より好ましくは、必要に応じて置換されるフェニル環である；（ｃ）Ｒ3が水素である；（ｅ）Ｒ4がＲ5、−ＮＨＲ5、−Ｎ（Ｒ5）2、−ＮＲ5Ｒ6、−ＮＨＣＨＲ5Ｒ6、または−ＮＨＣＨ2Ｒ5から選択される；ならびに／あるいは（ｆ）Ｒ5がアリール基、アラルキル基、ヘテロアリール基、ヘテロアリールアルキル基、ヘテロシクリル基、ヘテロシクリルアルキル基、（ＣＨ2）yＲ6、（ＣＨ2）yＲ7、または（ＣＨ2）yＣＨ（Ｒ6）（Ｒ7）から選択される必要に応じて置換される基である。
【００３１】
Ｒ2フェニル基の置換基の例としては、ハロ、ニトロ、アルコキシ、およびアミノが挙げられる。
【００３２】
Ｒ4がＲ5である場合、好ましいＲ5基の例としては、ピロリジン−１−イル、モルホリン−１−イル、ピペリジン−１−イル、およびピペラジン−１−イルが挙げられ、ここで、各基が必要に応じて置換される。Ｒ4が−ＮＨＲ5または−Ｎ（Ｒ5）2である場合、好ましいＲ5基はさらに、（ＣＨ2）yＲ6、（ＣＨ2）yＲ7、および（ＣＨ2）yＣＨ（Ｒ6）（Ｒ7）を含む。好ましいＲ6およびＲ7の例としては、ピリジン−３−イル、ピリジン−４−イル、イミダゾリル、フラン−２−イル、テトラヒドロフラン−２−イル、シクロヘキシル、フェニル、−ＣＨ2ＯＨ、−（ＣＨ2）2ＯＨ、およびイソプロピルが挙げられ、ここで、各基は、必要に応じて置換される。
【００３３】
Ｒ1およびＲ3がそれぞれＨである、式ＩＩの例示的な構造は、以下の表１に記載される。
【００３４】
【表１】
0004783532.tif 000005
0004783532.tif 000006
0004783532.tif 000007
0004783532.tif 000008
0004783532.tif 000009
0004783532.tif 000010
0004783532.tif 000011
0004783532.tif 000012
0004783532.tif 000013
0004783532.tif 000014
0004783532.tif 000015
0004783532.tif 000016
0004783532.tif 000017
0004783532.tif 000018
0004783532.tif 000019
本発明の別の好ましい実施形態は、式ＩＩ−Ｂの化合物に関する：
【００３５】
【化８】
0004783532.tif 000020
ここで、Ｔ、Ｒ、Ｒ2、およびＲ4は、上で記載された通りである。
【００３６】
好ましいＩＩ−Ｂ化合物には、以下の特徴の１つ以上、最も好ましくは全てを有する化合物が挙げられる：（ａ）Ｔが原子価結合である；（ｂ）Ｒ3が水素である；および／または（ｃ）Ｒ2が必要に応じて置換されたアリール環であり、より好ましくは、必要に応じて置換されたフェニル環である。
【００３７】
式ＩＩ−Ｂの代表的な構造（ここで、Ｒ3はＨである）を、以下の表２に列挙する。
【００３８】
【表２】
0004783532.tif 000021
0004783532.tif 000022
本発明の化合物は、一般に、以下に示される一般スキームＩおよびＩＩ、ならびに合成実施例に例示されるように、類似の化合物について当業者に公知の方法によって調製され得る：
【００３９】
【化９】
0004783532.tif 000023
上記スキームＩは、Ｒ2が必要に応じて置換されたフェニル基である場合、本発明の化合物を調製するために使用された一般的な合成経路を示す。工程（ａ）において、必要に応じて置換されたベンゾイルクロリドを、ジクロロメタンおよび三塩化アルミニウム中で、化合物１と合わせて、化合物２を形成した。フェニル環上の様々な置換が、この反応に対して修正可能である。適切なＲ2基の例には、上記表１に記載されたものが挙げられるが、これらに限定されない。
【００４０】
アミド４の形成は、ＤＭＦ中で化合物２をアミン３で処理することによって達成した。アミン３が１級アミンである場合、この反応は周囲温度で進行した。アミン３が２級アミンである場合、この反応系を５０℃で加熱して、完全な反応を達成し、そしてアミド４を得た。
【００４１】
工程（ｃ）におけるエナミン５の形成は、周囲温度で、アミド４を（Ｍｅ2Ｎ）2−Ｏｔ−Ｂｕで処理することによって達成した。あるいは、工程（ｃ）においてエナミン５を形成する反応はまた、ジメチルホルムアミド−ジメチルアセタール（ＤＭＦ−ＤＭＡ）を使用することによって達成した。ＤＭＦ−ＤＭＡを使用する反応は、エナミン５を得るために高温を必要とするのに対し、（Ｍｅ2Ｎ）2−ＯｔＢｕを使用する反応は、エナミン５を高純度で得るために、周囲温度で進行するのが有利である。
【００４２】
工程（ｄ）におけるピラゾール化合物６の形成を、高温でエナミン５をヒドラジン水和物で処理することによって達成した。この方法によって合成した式ＩＩの化合物は、表１で例示したように、分取用ＨＰＬＣ（逆相、１５分間にわたって水中１０→９０％ＭｅＣＮ）によって単離した。これらの化合物を生成するために使用した条件の詳細を実施例に記載する。
【００４３】
【化１０】
0004783532.tif 000024
上記スキームＩＩは、例として化合物ＩＩ−Ｂ−１６を使用して、式ＩＩ−Ｂの化合物を調製するために使用され得る一般的な合成方法を示す。この方法は、Ｊｉｒａ，Ｔ．ら、Ｐｈａｒｍａｚｉｅ、４０１〜４０６頁（１９９４）の方法から改変されている。式ＩＩ−Ｂの化合物はまた、Ｗｏｌｌｅｒ，Ｊ．ら、Ｐｈａｒｍａｚｉｅ、９３７〜９４０（１９９６）、Ｒｙｃｈｍａｎｓ，Ｔ．ら、Ｔｅｔｒａｈｅｄｒｏｎ、１７２９〜１７３４（１９９７）、およびＴｕｐｐｅｒ，Ｄ．Ｅ．ら、Ｓｙｎｔｈｅｓｉｓ、３３７〜３４１（１９９７）の方法と類似の方法によって調製され得る。
【００４４】
別の実施形態によると、本発明は、生物学的サンプル中のキナーゼ活性を阻害する方法を提供する。この方法は、この生物学的サンプルを、本発明の化合物と接触させる工程を包含する。
【００４５】
本明細書中で使用される場合、用語「生物学的サンプル」は、細胞培地またはその抽出物；ヒトから得られる生検材料またはその抽出物；および血液、唾液、尿、便、精液、涙、または他の体液、あるいはそれらの抽出物を含む。用語「生物学的サンプル」はまた、生きた生物を含み、この場合、用語「本発明の化合物と生物学的サンプルとを接触させる工程」は、用語「本発明の化合物（またはこの化合物を含む組成物）を動物に投与する工程」と同じ意味である。
【００４６】
本発明の別の局面は、プロテインキナーゼインヒビターで処置することにより軽減される動物の疾患状態を処置するための方法に関し、この方法は、このような処置の必要な動物に、治療的有効量の以下の式を有する化合物、またはその薬学的に受容可能な誘導体を投与する工程を包含する：
【００４７】
【化１１】
0004783532.tif 000025
ここで、
Ｒ1は、Ｒ、ハロゲン、Ｎ（Ｒ8）2、ＯＲ、ＮＲＣＯＲ、ＮＲＣＯＮ（Ｒ8）2、ＣＯＮ（Ｒ8）2、ＳＯ2Ｒ、ＮＲＳＯ2Ｒ、またはＳＯ2Ｎ（Ｒ8）2から選択され；
Ｔは、原子価結合、またはリンカー基から選択され；
各Ｒは、水素、または１〜６個の炭素を有する必要に応じて置換された脂肪族基から独立して選択され；
Ｒ2は、水素、ＣＮ、ハロゲン、アリール、アラルキル、ヘテロアリール、ヘテロシクリル、１〜６個の炭素を有する必要に応じて置換された非環式脂肪族基、または４〜１０個の炭素を有する必要に応じて置換された環式脂肪族基から選択され；
Ｒ3は、Ｒ、ＯＨ、ＯＲ、Ｎ（Ｒ8）2、ハロゲン、またはＣＮから選択され；  Ｑは、原子価結合、Ｊ、または必要に応じて置換されたＣ1-6アルキルジエン鎖であり、ここで、このアルキルジエン鎖の２つまでの隣接していない炭素は、それぞれ必要に応じかつ独立してＪで置換され；
Ｊは、−Ｃ（＝Ｏ）−、−ＣＯ2−、−Ｃ（Ｏ）Ｃ（Ｏ）−、−ＮＲＣＯＮＲ8−、−Ｎ（Ｒ）Ｎ（Ｒ8）−、−Ｃ（＝Ｏ）ＮＲ8−、−ＮＲＣ（＝Ｏ）−、−Ｏ−、−Ｓ−、−ＳＯ−、−ＳＯ2−、−Ｎ（Ｒ）Ｏ−、−ＯＮ（Ｒ8）−、ＯＣ（＝Ｏ）Ｎ（Ｒ8）−、−Ｎ（Ｒ）ＣＯＯ−、−ＳＯ2Ｎ（Ｒ8）−、−Ｎ（Ｒ）ＳＯ2−、または−Ｎ（Ｒ8）−から選択され；
Ｒ4は、−Ｒ8、−Ｒ5、−ＮＨ2、−ＮＨＲ5、−Ｎ（Ｒ5）2、または−ＮＲ5（ＣＨ2）yＮ（Ｒ5）2から選択され；
各Ｒ5は、Ｒ6、Ｒ7、−（ＣＨ2）yＣＨ（Ｒ6）（Ｒ7）、−（ＣＨ2）yＲ6、−（ＣＨ2）yＣＨ（Ｒ6）2、−（ＣＨ2）yＣＨ（Ｒ7）2、または−（ＣＨ2）yＲ7から独立して選択され；
ｙは、０〜６であり；
各Ｒ6は、脂肪族基、アリール基、アラルキル基、アラルコキシ基、ヘテロアリール基、ヘテロアリールアルキル基、ヘテロアリールアルコキシ基、ヘテロシクリル基、ヘテロシクリルアルキル基、またはヘテロシクリルアルコキシ基から独立して選択される、必要に応じて置換された基であり；
各Ｒ7は、必要に応じて置換された脂肪族、ヒドロキシアルキル、アルコキシアルキル、アリールオキシアルキル、またはアルコキシカルボニルから独立して選択され；
各Ｒ8は、Ｒから独立して選択されるか、または同じ窒素上の２つのＲ8が窒素と一緒になって、４〜８員の、飽和または不飽和の、１〜３個のヘテロ原子を有する複素環式環を必要に応じて形成し；
そして各置換可能な環窒素は、Ｒ、ＮＲ2、ＣＯＲ、ＣＯ2（Ｃ1〜Ｃ6の必要に応じて置換されたアルキル）、ＳＯ2（Ｃ1〜Ｃ6の必要に応じて置換されたアルキル）、ＣＯＮＲ2、およびＳＯ2ＮＲ2により必要に応じて置換される。
【００４８】
一実施形態は、式ＩＩの化合物を投与する工程を包含する。好ましい実施形態は、式ＩＩ−Ａの化合物、最も好ましくは、表１に列挙される化合物を投与する工程を包含する。別の好ましい実施形態は、式ＩＩ−Ｂの化合物、より好ましくは、表２に列挙される化合物を投与する工程を包含する。このような方法に有用な薬学的組成物を以下に記載する。
【００４９】
本発明の方法は、ＥＲＫ、ＪＡＫ、ＪＮＫ、Ａｕｒｏｒａ、ＧＳＫ、ＫＤＲ、またはＡＫＴのインヒビターの使用により軽減される疾患状態を処置するのに特に有用である。本明細書中で使用される場合、他に示されない限り、用語「ＥＲＫ」、「ＪＡＫ」、「ＪＮＫ」、「Ａｕｒｏｒａ」、「ＧＳＫ」、「ＫＤＲ」、および「ＡＫＴ」とは、それぞれの酵素の全てのアイソフォームをいい、これには、ＥＲＫ１、ＥＲＫ２、ＥＲＫ３、ＥＲＫ４、ＥＲＫ５、ＥＲＫ６、ＥＲＫ７、ＪＡＫ１、ＪＡＫ２、ＪＡＫ３、ＪＡＫ４、ＪＮＫ１、ＪＮＫ２、ＪＮＫ３、Ａｕｒｏｒａ１、Ａｕｒｏｒａ２，ＧＳＫ３−α、ＧＳＫ３−β、ＫＤＲ、ＡＫＴ−１，ＡＫＴ−２、およびＡＫＴ−３が挙げられるが、これらに限定されない。
【００５０】
プロテインキナーゼインヒビターとして（例えば、ＥＲＫインヒビターとして）の化合物の活性は、インビトロ、インビボまたは細胞株においてアッセイされ得る。例としてＥＲＫを使用すると、インビトロアッセイは、活性化ＥＲＫのキナーゼ活性かＡＴＰアーゼ活性のいずれかの阻害を決定するアッセイを含む。代替のインビトロアッセイは、ＥＲＫに結合するインヒビターの能力を定量し、そして結合する前にインヒビターを放射標識し、インヒビター／ＥＲＫ複合体を単離し、そして結合した放射標識の量を決定することによって、または競合実験（ここで、新しいインヒビターは既知の放射性リガンドに結合したＥＲＫと共にインキュベートされる）を行うことによって、測定され得る。どのＥＲＫタイプまたはアイソフォームが阻害されるべきかに基づいて、ＥＲＫの任意のタイプまたはアイソフォームを使用し得る。
【００５１】
本発明の化合物は、酵素アッセイにより決定されるように、ＥＲＫの強力なインヒビターである。これらの化合物はまた、細胞増殖アッセイにおいてＥＲＫを阻害することが示されている。酵素および細胞増殖アッセイの両方で使用される条件の詳細は、本明細書中以下の実施例に記載する。
【００５２】
本発明の化合物はまた、酵素アッセイによって決定されるように、ＪＮＫ、Ａｕｒｏｒａ、ＧＳＫ、ＫＤＲ、およびＡＫＴのインヒビターである。このアッセイで使用される条件の詳細は、本明細書中以下の実施例に記載する。理論に束縛されることなく、本発明の化合物はまた、他のプロテインキナーゼを阻害することが期待される。
【００５３】
本発明のプロテインキナーゼインヒビター、またはその薬学的な塩は、動物またはヒトへの投与のための薬学的組成物に処方され得る。プロテインキナーゼ活性を検出可能に阻害するのに十分な量のプロテインキナーゼインヒビター、および薬学的に受容可能なキャリアを含む、プロテインキナーゼ媒介状態を処置または予防するのに有効なこれらの薬学的組成物は、本発明の別の実施形態である。本明細書中で使用される場合、用語「検出可能に阻害する」とは、このインヒビターを含んでいるサンプルと、プロテインキナーゼのみを含んでいるサンプルとの間の活性の測定可能な変化を意味する。
【００５４】
本明細書中で使用される場合、用語「ＥＲＫ媒介状態」とは、ＥＲＫが役割を果たすことが知られている任意の疾患状態または他の有害な状態を意味する。このような状態には、癌、発作、糖尿病、肝腫、心臓肥大を含む心臓血管疾患、アルツハイマー病、嚢胞性線維症、ウイルス性疾患、自己免疫疾患、アテローム性動脈硬化症、再狭窄、乾癬、喘息を含むアレルギー性障害、炎症、神経障害およびホルモン関連疾患が挙げられるが、これらに限定されない。用語「癌」には、以下の癌が挙げられるが、これらに限定されない：乳房、卵巣、頸部、前立腺、精巣、尿生殖路、食道、喉頭、グリア芽細胞腫、神経芽細胞腫、胃、皮膚、角化棘細胞腫、肺、類表皮癌、大細胞癌、小細胞癌、肺腺癌、骨、結腸、腺腫、膵臓、腺癌、甲状腺、小胞状腺腫、未分化癌、乳頭状癌、精上皮腫、黒色腫、肉腫癌、膀胱癌、肝癌および胆管、腎臓癌、骨髄障害、リンパ球障害、ホジキン病、毛様細胞、口腔および咽頭（口）、唇、舌、口、咽頭、小腸、結腸、大腸、直腸、脳および中枢神経系、ならびに白血病。
【００５５】
本発明の化合物はまた、関連キナーゼのインヒビターとして有用である。用語「関連キナーゼ」とは、ＥＲＫ結合部位を整列する残基に類似した残基を有するプロテインキナーゼをいう。理論に束縛されることを望まないが、出願人は、この阻害活性は、ＥＲＫと関連キナーゼの活性部位間の接近した構造的類似性に起因すると推測する。他のキナーゼとのＥＲＫ配列の整列は、一般的なソフトウェアプログラム（例えば、Ｇｅｎｅｔｉｃｓ  Ｃｏｍｐｕｔｅｒ  Ｇｒｏｕｐから入手可能な「ｂｅｓｔｆｉｔ」プログラム）から誘導され得る。このプログラムは、ＳｍｉｔｈおよびＷａｔｅｒｍａｎ（Ａｄｖａｎｃｅｓ  ｉｎ  Ａｐｐｌｉｅｄ  Ｍａｔｈｅｍａｔｉｃｓ  ２；４８２（１９８１））に記載される局在的相同性アルゴリズムを使用する。
【００５６】
本発明の化合物により阻害される関連キナーゼは、以下のＥＲＫ残基に対応する、８０％以上の類似性を有する残基（上記の標準タンパク質配列整列ソフトウェアにより同定される）を含む：Ｉ３１、Ｅ３３、Ｇ３４、Ａ３５、Ｙ３６、Ｇ３７、Ｍ３８、Ｖ３９、Ａ５２、Ｋ５４、Ｒ６７、Ｔ６８、Ｅ７１、Ｌ７５、Ｉ８４、Ｉ８６、Ｉ１０３、Ｑ１０５、Ｄ１０６、Ｌ１０７、Ｍ１０８、Ｅ１０９、Ｄ１１１、Ｋ１１４、Ｄ１４９、Ｋ１５１、Ｓ１５３、Ｎ１５４、Ｌ１５６、Ｃ１６６、およびＤ１６７。この類似性スコアは、標準アミノ酸置換表（例えば、Ｄａｙｈｏｆｆ（Ｄａｙｈｏｆｆ，Ｍ．Ｏ．ら、Ａｔｌａｓ  ｏｆ  Ｐｒｏｔｅｉｎ  Ｓｅｑｕｅｎｃｅ  ａｎｄ  Ｓｔｒｕｃｔｕｒｅ，１９７９）およびＢｌｏｓｏｍ−Ｈｅｎｉｋｏｆｆ（Ｂｌｏｓｕｍ−Ｈｅｎｉｋｏｆｆ，ＳおよびＨｅｎｉｋｏｆｆ，Ｊ．Ｇ．，ＰＮＡＳ，１９９２，８９：１０９１５〜１０９１９）に記載されるもの）を使用して決定され得る。用語「関連キナーゼ」はまた、以下のＥＲＫ残基に対して８０％以上の類似性スコアを有する残基を含むキナーゼを含む：Ｉ３１、Ｇ３７、Ａ５２、Ｉ１０３、Ｅ１０９、およびＮ１５４。
【００５７】
本発明の化合物はまた、ＪＡＫファミリーキナーゼのインヒビターとして有用である得。理論に束縛されることを望まないが、出願人らは、この阻害活性は、上記の標準方法により決定されるように、ＥＲＫとＪＡＫの活性部位間の接近した構造的類似性に起因すると推測する。
【００５８】
ＥＲＫ結合インヒビターを用いるインハウス（ｉｎ−ｈｏｕｓｅ）Ｘ線結晶構造実験により、ＥＲＫ活性部位中の３つのアミノ酸残基は、これらのタイプのインヒビターと重要な水素結合相互作用を形成することが見出された。これらの３つのアミノ酸残基は、Ｍ１０８、Ｄ１０６、およびＱ１０５である。このアミノ酸の番号付けは、寄託番号Ｐ２８４８２のＳｗｉｓｓ−Ｐｒｏｔデーターベースエントリーに対応する。このＳｗｉｓｓ−Ｐｒｏｔデーターベースは、Ｅｕｒｏｐｅａｎ  Ｂｉｏｉｎｆｏｒｍａｔｉｃｓ  Ｉｎｓｔｉｔｕｔｅ（ＥＢＩ）（Ｇｅｎｅｖａ、Ｓｗｉｔｚｅｒｌａｎｄ）により分類される国際タンパク質配列データーベースである。このデーターベースは、ｗｗｗ．ｅｂｉ．ａｃ．ｕｋ／ｓｗｉｓｓｐｒｏｔで見出され得る。
【００５９】
Ｍ１０８およびＤ１０６の骨格原子、および関連した相互作用は、全てのキナーゼに共通する。Ｍ１０８は、水素結合ドナーおよびアクセプターの両方を提供し、そしてＤ１０６は、その骨格のＣＯを介して水素結合アクセプターを提供する。活性部位内の１つ以上のこれらの水素結合基との水素結合を形成し得るインヒビターは、酵素に結合し、従って阻害を示すことが期待される。
【００６０】
Ｑ１０５グルタミン残基は、上記のソフトウェアプログラムから得られる整列データの試験によって決定されるように、ＥＲＫおよびＪＡＫを含むキナーゼのサブセットに関係する。Ｑ１０５は、側鎖のＣＯを受容する重要な水素結合を提供する。モデリング実験は、ＥＲＫおよびＪＡＫの両方について、Ｈｔ環の水素結合ドナーは、Ｑ１０５残基に対する水素結合距離内にあることを示す。これらの類似の活性部位相互作用のため、本発明のＥＲＫインヒビターは、ＪＡＫも同様に阻害する。従って、これらの化合物は、ＪＡＫ媒介状態を処置するために有用である。
【００６１】
本明細書中で使用される場合、用語「ＪＡＫ媒介状態」とは、ＪＡＫが役割を果たすことが知られた任意の疾患状態または他の有害な状態を意味する。このような状態には、アレルギー性障害（例えば、喘息およびアトピー性皮膚炎）、自己免疫疾患（例えば、ＳＬＥ狼瘡および乾癬）、ならびに器官移植に関連する状態が挙げられるが、これらに限定されない。
【００６２】
本発明の化合物はまた、ＪＮＫファミリーキナーゼのインヒビターとして有用である。従って、これらの化合物は、ＪＮＫ媒介状態を処置するために有用である。本明細書中で使用される場合、用語「ＪＮＫ媒介状態」とは、ＪＮＫが役割を果たすことが知られている任意の疾患状態または他の有害な状態を意味する。このような状態には、アポトーシス誘発性神経変性疾患（例えば、アルツハイマー病、パーキンソン病、ＡＬＳ（筋萎縮性側索硬化症）、癲癇および発作）、ハンティングトン病、外傷性脳損傷、ならびに虚血性および出血性発作、心臓疾患、免疫欠損障害、炎症疾患、アレルギー障害、自己免疫疾患、破壊性骨障害（例えば、骨粗しょう症）、増殖性障害、感染性疾患、ウイルス性疾患、発作、心臓発作および器官低酸素症における再灌流／虚血を含む細胞死および過形成に関連する障害、トロンビン誘発性血小板凝集、慢性骨髄性白血病（ＣＭＬ）、リウマチ様動脈炎、喘息、変形性関節症、虚血、癌、肝性虚血を含む肝臓疾患、心臓疾患（例えば、心筋梗塞およびうっ血性心不全）、Ｔ細胞活性化を含む病的免疫状態、および神経変性障害が挙げられるが、これらに限定されない。
【００６３】
本発明の化合物は、Ａｕｒｏｒａのインヒビターとして有用である。従って、これらの化合物は、Ａｕｒｏｒａ媒介状態を処置するために有用である。本明細書中で使用される場合、用語「Ａｕｒｏｒａ媒介状態」とは、Ａｕｒｏｒａが役割を果たすことが知られている任意の疾患状態または他の有害な状態を意味する。このような状態には、癌が挙げられるが、これらに限定されない。用語「癌」は、以下の癌を含むが、これらに限定されない：大腸および卵巣。
【００６４】
本発明の化合物はまた、ＧＳＫファミリーキナーゼのインヒビターとして有用である。従って、これらの化合物は、ＧＳＫ媒介状態を処置するために有用である。本明細書中で使用される場合、用語「ＧＳＫ媒介状態」は、ＧＳＫが役割を果たすことが知られている、任意の疾患状態または他の有害な状態を意味する。このような状態としては、糖尿病、アルツハイマー病、神経変性疾患、およびＣＮＳ障害（例えば、双極性障害および精神分裂病）が挙げられるが、限定はない。
【００６５】
本発明の化合物はまた、ＫＤＲファミリーキナーゼのインヒビターとして有用である。従って、これらの化合物は、ＫＤＲ媒介状態を処置するために有用である。本明細書中で使用される場合、用語「ＫＤＲ媒介状態」は、ＫＤＲが役割を果たすことが知られている、任意の疾患状態または他の有害な状態を意味する。ＫＤＲ媒介疾患または状態としては、以下が挙げられるが、これらに限定されない：癌（例えば、脳の癌、尿生殖器管の癌、リンパ系の癌、胃癌、喉頭の癌、肺癌、膵臓癌、乳癌、カポージ肉腫、および白血病）；子宮内膜症、良性前立腺肥大；脈管疾患（例えば、再狭窄およびアテローム性動脈硬化症）；自己免疫疾患（例えば、慢性関節リウマチおよび乾癬）；眼の状態（例えば、増殖性網膜症または脈管形成網膜症および黄斑変性）；ならびに炎症性疾患（例えば、接触皮膚炎、喘息および遅延過敏症反応）。
【００６６】
本発明の化合物はまた、ＡＫＴファミリーキナーゼのインヒビターとして有用である。従って、これらの化合物は、ＡＫＴ媒介状態を処置するために有用である。本明細書中で使用される場合、用語「ＡＫＴ媒介状態」は、ＡＫＴが役割を果たすことが知られている、任意の疾患状態または他の有害な状態を意味する。ＡＫＴ媒介疾患または状態としては、増殖性障害、癌、および神経変性障害が挙げられるが、これらに限定されない。
【００６７】
本発明の化合物に加えて、本発明の化合物の薬学的に受容可能な誘導体またはプロドラッグもまた、上記の障害を処置または予防するための組成物中に使用され得る。
【００６８】
「薬学的に受容可能な誘導体またはプロドラッグ」は、本発明の化合物の任意の薬学的に受容可能な塩、エステル、エステルの塩または他の誘導体を意味し、これらは、レシピエントへの投与の際に、（直接的または間接的のいずれかで）本発明の化合物または阻害的に活性な代謝産物もしくはそれらの残基を提供し得る。特に好ましい誘導体またはプロドラッグは、このような化合物が哺乳動物に投与される場合に、（例えば、経口的に投与された化合物を、より容易に血液内に吸収させることによって）本発明の化合物のバイオアベイラビリティー増加させる誘導体またはプロドラッグ、あるいは、親の種に関して親化合物の生物学的区画（例えば、脳またはリンパ系）への送達を高める誘導体またはプロドラッグである。
【００６９】
本発明の化合物の薬学的に受容可能なプロドラッグとしては、エステル、アミノ酸エステル、リン酸エステル、金属塩およびスルホン酸塩が挙げられるが、限定はない。
【００７０】
本発明の化合物の薬学的に受容可能な塩としては、薬学的に受容可能な無機酸および有機酸ならびに無機塩基および有機塩基から誘導される塩が挙げられる。適切な酸塩の例としては、以下が挙げられる：アセテート、アジペート、アルギネート、アスパルテート、ベンゾエート、ベンゼンスルホネート、ビスルフェート、ブチレート、シトレート、カンファレート、カンファースルホネート、シクロペンタンプロピオネート、ジグルコネート、ドデシルスルフェート、エタンスルホネート、ホルメート、フマレート、グルコヘプタノエート、グリセロホスフェート、グリコレート、ヘミスルフェート、ヘプタノエート、ヘキサノエート、ヒドロクロリド、ヒドロブロミド、ヒドロヨーダイド、２−ヒドロキシエタンスルホネート、ラクテート、マレエート、マロネート、メタンスルホネート、２−ナフタレンスルホネート、ニコチネート、ニトレート、パルモエート、ペクチネート、ペルスルフェート、３−フェニルプロピオネート、ホスフェート、ピクレート、ピバレート、プロピオネート、サリチレート、スクシネート、スルフェート、タートレート、チオシアネート、トシレートおよびウンデカノエート。それ自身薬学的に受容可能ではないが、他の酸（例えば、シュウ酸）が、本発明の化合物およびそれらの薬学的に受容可能な酸付加塩を得る際の中間体として有用な塩の調製において使用され得る。
【００７１】
適切な塩基から誘導される塩としては、アルカリ金属（例えば、ナトリウムおよびカリウム）塩、アルカリ土類金属（例えば、マグネシウム）塩、アンモニウム塩およびＮ+（Ｃ1-4アルキル）4塩が挙げられる。本発明はまた、本明細書中に開示される化合物の任意の塩基性窒素含有基の４級化（ｑｕａｔｅｒｎｉｚａｔｉｏｎ）を想定する。水溶性もしくは油溶性または水分散性もしくは油分散性の生成物は、このような４級化によって得られ得る。
【００７２】
これらの薬学的組成物中に使用され得る薬学的に受容可能なキャリアとしては、以下が挙げられるが、これらに限定されない：イオン交換樹脂、アルミナ、ステアリン酸アルミニウム、レシチン、血清タンパク質（例えば、ヒト血清アルブミン）、緩衝物質（例えば、リン酸塩）、グリシン、ソルビン酸、ソルビン酸カリウム、飽和植物性脂肪酸の部分グリセリド混合物、水、塩または電解質（例えば、硫酸プロタミン、リン酸水素二ナトリウム、リン酸水素カリウム、塩化ナトリウム、亜鉛塩）、コロイダルシリカ、三ケイ酸マグネシウム、ポリビニルピロリドン、セルロースベースの物質、ポリエチレングリコール、カルボキシメチルセルロースナトリウム、ポリアクリレート、ワックス、ポリエチレン−ポリオキシプロピレン−ブロックポリマー、ポリエチレングリコールおよび羊毛脂。
【００７３】
本発明の組成物は、経口的、非経口的、吸入スプレーによって、局所的、直腸内、鼻腔内、口腔内、膣内、または移植されたリザーバを介して、投与され得る。本明細書中で使用される場合、用語「非経口的」は、皮下、静脈内、筋内、関節内、滑膜内、胸骨内、髄腔内、肝臓内、病変内および頭蓋内注射または注入技術を包含する。好ましくは、この組成物は、経口的、腹腔内または静脈内に投与される。
【００７４】
本発明の組成物の滅菌注射可能形態は、水性懸濁液または油性懸濁液であり得る。これらの懸濁液は、適切な分散剤または湿潤剤および懸濁剤を用いて、当該分野において公知の技術に従って処方され得る。滅菌注射可能な調製物はまた、非毒性の非経口的に受容可能な希釈剤または溶媒中の滅菌注射可能な溶液または懸濁液（例えば、１，３−ブタンジオール中の溶液として）であり得る。使用され得る受容可能なビヒクルおよび溶媒の中でも、水、リンガー液および等張塩化ナトリウム溶液である。さらに、滅菌された、不揮発性油が、溶媒または懸濁媒体として慣習的に使用される。この目的のために、合成モノグリセリドまたはジグリセリドを含む、任意の刺激のない不揮発性油が使用され得る。天然の薬学的に受容可能な油（例えば、オリーブ油またはヒマシ油）が、特にそれらのポリオキシエチル化バージョンにおいて有用であるように、脂肪酸（例えば、オレイン酸およびそのグリセリド誘導体）は、注射液の調製において有用である。これらの油溶液または懸濁液はまた、長鎖アルコール希釈剤または分散剤（例えば、カルボキシメチルセルロースまたは薬学的に受容可能な剤形（乳濁液および懸濁液を含む）の処方において通常使用される類似の分散剤）を含有し得る。他の通常使用される界面活性物質（例えば、Ｔｗｅｅｎ、Ｓｐａｎ）、および薬学的に受容可能な固体、液体、または他の剤形の製造において通常使用される、他の乳化剤またはバイオアベイラビリティーエンハンサーもまた、処方の目的のために使用され得る。
【００７５】
本発明の薬学的組成物は、任意の経口的に受容可能な剤形で経口的に投与され得、このような剤形としては、カプセル、錠剤、水性懸濁液または水溶液が挙げられるが、これらに限定されない。経口用途のための錠剤の場合は、ラクトースおよびコーンスターチを含むキャリアが通常使用される。潤滑剤（例えば、ステアリン酸マグネシウム）もまた、代表的に添加される。カプセル形態の経口投与については、有用な希釈剤としては、ラクトースおよび乾燥コーンスターチが挙げられる。経口用途のために水性懸濁液が必要とされる場合、活性成分は、乳化剤および懸濁剤と組み合わせられる。所望の場合、特定の甘味料、香味料または着色剤もまた添加され得る。
【００７６】
あるいは、本発明の薬学的組成物は、直腸内投与のための坐剤の形態で投与され得る。これらは、薬剤を、適切な非刺激性の賦形剤（これは、室温では固体であるが、直腸の温度では液体であり、従って、直腸内では溶融して薬物を放出する）と混合させることによって調製され得る。このような物質としては、ココアバター、蜜蝋およびポリエチレングリコールが挙げられる。
【００７７】
本発明の薬学的組成物はまた、特に処置の標的が、局所的適用によって容易にアクセス可能な領域または器管を含む場合（眼、皮膚、または下部の腸管の疾患を含む）、局所的に投与され得る。適切な局所処方物は、これらの領域または器管の各々について、容易に調製される。
【００７８】
下部の腸管のための局所適用は、直腸坐剤処方物（上記を参照のこと）または適切な浣腸処方物において有効であり得る。局所的経皮パッチもまた使用され得る。
【００７９】
局所的適用のために、この薬学的組成物は、１以上のキャリアに懸濁または溶解された活性成分を含有する適切な軟膏に処方され得る。本発明の化合物の局所投与のためのキャリアとしては、鉱油、流動パラフィン、白色鉱油、プロピレングリコール、ポリオキシエチレン、ポリオキシプロピレン化合物、乳化ワックスおよび水が挙げられるが、これらに限定されない。あるいは、この薬学的組成物は、１以上の薬学的に受容可能なキャリアに懸濁または溶解された活性成分を含有する、適切なローションまたはクリームに処方され得る。適切なキャリアとしては、鉱油、ソルビタンモノステアレート、ポリソルベート６０、セチルエステルワックス、セテアリールアルコール（ｃｅｔｅａｒｙｌ  ａｌｃｏｈｏｌ）、２−オクチルドデカノール、ベンジルアルコールおよび水が挙げられるが、これらに限定されない。
【００８０】
眼用途のために、この薬学的組成物は、等張の、ｐＨ調節された滅菌生理食塩水中の微粉化懸濁液として、または好ましくは、等張の、ｐＨ調節された滅菌生理食塩水中の溶液として、防腐剤（例えば、ベンジルアルコニウムクロリド）あり、またはなしのいずれかで、処方され得る。あるいは、眼用途のために、この薬学的組成物は、軟膏（例えば、ワセリン）中に処方され得る。
【００８１】
本発明の薬学的組成物はまた、経鼻エアロゾルまたは吸入によって投与され得る。このような組成物は、薬学的処方物の分野において周知の技術に従って調製され、そしてベンジルアルコールまたは他の適切な防腐剤、バイオアベイラビリティーを向上させるための吸収促進剤、フッ化炭素、および／または他の従来の可溶化剤または分散剤を使用して、生理食塩水中の溶液として調製され得る。
【００８２】
単一用量形態を製造するためのキャリア物質と組み合わされ得る、本発明のプロテインキナーゼインヒビターの量は、処置される宿主、投与の特定の様式に依存して変化する。好ましくは、この組成物は、約０．０１〜１００ｍｇ／ｋｇ体重／日の間のインヒビターの用量がこれらの組成物を受け取る患者に投与され得るように、処方されるべきである。
【００８３】
任意の特定の患者のための特定の用量および処置レジメンは、種々の因子（使用される特定の化合物の活性、齢、体重、全体的な健康、性別、食餌、投与の時間、排泄の割合、薬物の組み合わせ、ならびに処置する医師の判断および処置されている特定の疾患の重症度を含む）に依存する。インヒビターの量はまた、組成物中の特定の化合物に依存する。
【００８４】
本発明のキナーゼインヒビターまたはその薬学的組成物はまた、移植可能な医学的デバイス（例えば、人工器官、人工弁、脈管移植片、ステントおよびカテーテル）をコーティングするための組成物中に組み込まれ得る。例えば、脈管ステントは、再狭窄（損傷後の脈管壁の再狭小化）を克服するために使用されてきた。しかし、ステントまたは他の移植可能なデバイスを使用している患者は、凝血塊形成または血小板活性化の危険がある。これらの望ましくない効果は、キナーゼインヒビターを含む組成物でこのデバイスを予めコーティングすることによって、予防または緩和され得る。適切なコーティングおよびコートされた移植可能なデバイスの一般的調製は、米国特許第６，０９９，５６２号；同第５，８８６，０２６号；および同第５，３０４，１２１号に記載されている。コーティングは、代表的には、生体適合性のポリマー材料（例えば、ヒドロゲルポリマー、ポリメチルジシロキサン、ポリカプロラクトン、ポリエチレングリコール、ポリ乳酸、エチレン酢酸ビニル、およびこれらの組み合わせ）である。コーティングは、必要に応じて、フルオロシリコン、多糖類、ポリエチレングリコール、リン脂質またはこれらの組み合わせの適切なトップコートによってさらにカバーされ、この組成物における制御された放出特性を与える。本発明のキナーゼインヒビターでコートされた移植可能なデバイスは、本発明の別の実施形態である。
【００８５】
別の実施形態に従って、本発明は、ＥＲＫ媒介、ＪＡＫ媒介、ＪＮＫ媒介、Ａｕｒｏｒａ媒介、ＧＳＫ媒介、ＫＤＲ媒介、またはＡＫＴ媒介状態、または疾患状態を処置または予防する方法を提供し、この方法は、患者に上記の薬学的組成物のうちの１つを投与する工程を包含する。本明細書中で使用される場合、用語「患者」は、哺乳動物（好ましくは、ヒト）を意味する。
【００８６】
好ましくは、この方法は、癌（例えば、乳癌、大腸癌、前立腺癌、皮膚癌、膵臓癌、脳の癌、尿生殖器管の癌、リンパ系の癌、胃癌、喉頭癌および肺癌（肺腺癌および小細胞肺癌を含む））、発作、糖尿病、肝腫、心臓肥大、心血管疾患、アルツハイマー病、嚢胞性線維症、およびウイルス性疾患、または上記の任意の特定の疾患もしくは障害から選択される状態、または疾患状態を処置または予防するために使用される。
【００８７】
処置または予防されるべき特定の状態または疾患状態に依存して、さらなる治療薬剤（これらは、通常、これらの状態を処置または予防するために投与される）が、本発明のインヒビターと共に使用され得る。例えば、化学療法薬剤または他の抗増殖剤が、本発明のインヒビターと組み合わされ、増殖性疾患および癌を処置し得る。公知の化学療法薬剤の例としては、アドリアマイシン、デキサメタゾン、ビンクリスチン、シクロホスファミド、フルオロウラシル、トポテカン（ｔｏｐｏｔｅｃａｎ）、タキソール、インターフェロン、および白金誘導体が挙げられるが、これらに限定されない。
【００８８】
本発明のインヒビターがまた組み合わされ得る薬剤の他の例としては、以下が挙げられるが、限定はない：抗炎症剤（例えば、コルチコステロイド、ＴＮＦブロッカー、ＩＬ−１  ＲＡ、アザチオプリン、シクロホスファミド、およびスルファサラジン）；免疫調節剤および免疫抑制剤（例えば、シクロスポリン、タクロリムス、ラパマイシン、マイコフェノレートモフェチル（ｍｙｃｏｐｈｅｎｏｌａｔｅ  ｍｏｆｅｔｉｌ）、インターフェロン、コルチコステロイド、シクロホスファミド、アザチオプリン、およびスルファサラジン）；神経栄養因子（例えば、アセチルコリンエステラーゼインヒビター、ＭＡＯインヒビター、インターフェロン、抗痙攣薬、イオンチャネルブロッカー、リルゾール（ｒｉｌｕｚｏｌｅ）、および抗パーキンソン病薬）；心血管疾患疾患を処置するための薬剤（例えば、βブロッカー、ＡＣＥインヒビター、利尿薬、硝酸塩、カルシウムチャネルブロッカー、およびスタチン）；肝疾患を処置するための薬剤（例えば、コルチコステロイド、コレスチラミン、インターフェロン、および抗ウイルス薬）；血液障害を処置するための薬剤（例えば、コルチコステロイド、抗白血病薬、および成長因子）；糖尿病を処置するための薬剤（例えば、インシュリン、インシュリンアナログ、αグルコシダーゼインヒビター、ビグアナイド、およびインシュリン感作物質）；ならびに免疫不全障害を処置するための薬剤（例えば、γグロブリン）。
【００８９】
これらのさらなる薬剤は、複数用量レジメンの一部として、インヒビター含有組成物とは別に投与され得る。あるいは、これらの薬剤は、単一の組成物中でインヒビターと共に混合されて、単一用量形態の一部となり得る。
【００９０】
本明細書中に記載される発明をより十分に理解し得るために、以下の実施例が記載される。これらの実施例は、例示の目的のみのためであって、いかなる様式でも本発明を限定するものとしてみなされるべきではないことが理解されるべきである。
【００９１】
（実施例）
（実施例１）
【００９２】
【化１２】
0004783532.tif 000026
（２，２，２−トリクロロ−１−（４−フェニルアセチル−１Ｈ−ピロール−２−イル）−エタノン（１））：乾燥フラスコにおいて、フェニルアセチルクロリド（１当量）を、最小量のジクロロメタン（ＤＣＭ）中の２−トリクロロアセチルピロール（１当量）と合わせた。生じた溶液に、周囲温度にて、三塩化アルミニウムを添加した（１当量）。２時間後、反応混合物を、シリカゲルカラムに直接適用した。ヘキサン中の１０％酢酸エチル〜５０％の酢酸エチルの勾配での溶出により、化合物１を６０％収率で得た。1Ｈ  ＮＭＲ（ＣＤＣｌ3）δ４．０（ｓ、２Ｈ）、７．１〜７．３５（ｍ、７Ｈ）、９．７（ｂｒ  ｓ、ＮＨ）。方法Ｂ（以下の実施例５に記載される）を用いるＨＰＬＣは、保持時間４．９分をもたらした。ＬＣ／ＭＳ（Ｍ＋１）３３０．２、（Ｍ−１）３２８．１。
【００９３】
（実施例２）
【００９４】
【化１３】
0004783532.tif 000027
（４−フェニルアセチル−１Ｈ−ピロール−２−カルボン酸ベンジルアミド（２））：ＤＭＦ中の化合物１（１当量）の溶液に、周囲温度にて、ベンジルアミン（１．２当量）を添加した。２４時間後、この溶媒をエバポレートし、そして粗生成物２を精製しないで利用した。方法Ｂ（以下の実施例５に記載される）を用いるＨＰＬＣは、３．８分の保持時間をもたらした。ＦＩＡ／ＭＳ（Ｍ＋１）３１９．３、（Ｍ−１）３１７．２。
【００９５】
（実施例３）
【００９６】
【化１４】
0004783532.tif 000028
（４−（３−ジメチルアミノ−２−フェニル−アクリロイル）−１Ｈ−ピロール−２−カルボン酸ベンジルアミド（３））：ＴＨＦ中の化合物２（１当量）の溶液に、周囲温度にて、（Ｍｅ2Ｎ）2ＣＨＯｔ−Ｂｕ（３当量）を添加した。２４時間後、この溶媒をエバポレートし、そして粗生成物３を精製なしで利用した。1Ｈ  ＮＭＲ（ＣＤＣｌ3）δ４．４（ｓ、２Ｈ）、４．８（ｓ、ＮＨ）、６．８−７．４（ｍ、１３Ｈ）。
【００９７】
（実施例４）
【００９８】
【化１５】
0004783532.tif 000029
（４−（４−フェニル−１Ｈ−ピラゾール−３−イル）−１Ｈ−ピロール−２−カルボン酸ベンジルアミド（ＩＩ−５））：エタノール中の化合物３（１当量）の溶液に、周囲温度にて、ヒドラジンヒドレート（３当量）を添加し、そして生じた混合物を加熱還流した。１２時間後、この溶媒をエバポレートし、そして粗生成物をプレパラートＨＰＬＣ（逆相、水中の１０→９０％ＭｅＣＮ；１５分）により精製し、所望の化合物ＩＩ−５を得た。ＬＣ／ＭＳ（Ｍ＋１）３４３．３、（Ｍ−１）３４１．２。
【００９９】
（実施例５）
発明者らは、上記の実施例１〜４に記載の方法と実質的に類似の方法およびスキームＩに示される方法によって式ＩＩの他の化合物を調製した。これらの化合物の特徴づけデータを、以下の表３にまとめ、このデータは、ＬＣ／ＭＳ、ＨＰＬＣおよび1Ｈ  ＮＭＲデータを含む。
【０１００】
ＨＰＬＣ方法が「Ａ」として示される化合物について、以下の方法を、利用した：水：ＭｅＣＮ、０．１％ＴＦＡ（９５：５→０：１０）の勾配を、１ｍＬ／ｍｉｎおよび２１４ｎｍにて２２分にわたって実施した。ＨＰＬＣ方法が「Ｂ」として示される化合物について、以下の方法を利用した：水：ＭｅＣＮ、０．１％ＴＦＡ（９０：１０→０：１００）の勾配を、１ｍＬ／ｍｉｎおよび２１４ｎｍにて８分にわたって実施した。方法Ａおよび方法Ｂの各々は、３．０×１５０ｎｍのサイズのＹＭＣ  ＯＤＳ−ＡＱ５５  １２０Ａカラムを利用する。用語「Ｔret（分）」は、示されたＨＰＬＣ方法を用いる化合物に関する保持時間（分における）をいう。
【０１０１】
適用可能な場合、1Ｈ  ＮＭＲデータをまた、以下の表３中にまとめ、ここで「Ｙ」は、1Ｈ  ＮＭＲデータが入手可能であり、そして構造と一致すると見出したことを示す。化合物番号は、表１中に列挙する化合物番号に対応する。
【０１０２】
【表３】
0004783532.tif 000030
0004783532.tif 000031
0004783532.tif 000032
0004783532.tif 000033
（実施例６）
（ＥＲＫ阻害アッセイ）
化合物を分光光度結合酵素アッセイ（Ｆｏｘら（１９９８）Ｐｒｏｔｅｉｎ  Ｓｃｉ  ７、２２４９）によるＥＲＫ２の阻害についてアッセイした。このアッセイにおいて、活性化ＥＲＫ２（１０ｎＭ）の固定した濃度を、ＤＭＳＯ中の化合物の種々の濃度で、１０ｍＭ  ＭｇＣｌ2、２．５ｍＭのホスホエノールピルベート、２００μＭ  ＮＡＤＨ、１５０μｇ／ｍＬのピルベートキナーゼ、５０μｇ／ｍＬラクテートデヒドロゲナーゼ、および２００μＭ  エルクチド（ｅｒｋｔｉｄｅ）ペプチドを含む０．１Ｍ  ＨＥＰＥＳ緩衝液（ｐＨ７．５）において、３０℃にて１０分間インキュベートした。この反応を６５μＭ  ＡＴＰの添加によって開始した。３４０ｎｍでの吸光度の減少速度を、モニターした。ＴＣ５０をインヒビター濃度の関数としての速度データ−から評価した。
【０１０３】
表４は、ＥＲＫ２阻害アッセイにおける本発明の選択された化合物の活性の結果を示す。この化合物番号は、表１中の化合物番号に対応する。「Ａ」として示される活性を有する化合物は、１マイクロモル未満のＫｉ値をもたらし、「Ｂ」として示される活性を有する化合物は、１と５マイクロモルとの間のＫｉ値をもたらした；そして「Ｃ」として示される活性を有する化合物は、５マイクロモルより大きいＫｉ値をもたらした。
【０１０４】
【表４】
0004783532.tif 000034
0004783532.tif 000035
（実施例７）
（ＥＲＫ阻害細胞増幅アッセイ）：化合物を細胞増殖アッセイによるＥＲＫ２の阻害についてアッセイした。このアッセイにおいて、完全な培地を、１０％のウシ胎児血清およびペニシリン／ストレプトマイシン溶液をＲＰＭＩ  １６４０培地（ＪＲＨ  Ｂｉｏｓｃｉｅｎｃｅｓ）に添加することにより調製した。大腸癌細胞（ＨＴ−２９細胞株）を、１０，０００細胞／ウェル／１５０μＬの播種密度で、９６ウェルプレートの８４ウェルの各々に添加した。この細胞を、３７℃で２時間インキュベートすることによりこのプレートに付着させた。試験化合物の溶液を、完全培地中で連続的な希釈によって調製し、以下の濃度：２０μＭ、６．７μＭ、２．２μＭ、０．７４μＭ、０．２５μＭ、および０．０８μＭを得た。試験化合物の溶液（５０μＬ）を、７２細胞含有ウェルの各々に添加した。１２の残存する細胞含有ウェルに、完全な倍地（２００μＬ）のみを添加し、最大増殖を測定するためにコントロール群を形成した。残存する１２の空のウェルに、完全培地を添加し、バックグラウンドを測定するためにビヒクルコントロール群を形成した。このプレートを３７℃にて３日間インキュベートした。3Ｈ−チミジンの貯蔵溶液（１ｍＣｉ／ｍＬ、Ｎｅｗ  Ｅｎｇｌａｎｄ  Ｎｕｃｌｅａｒ，Ｂｏｓｔｏｎ，ＭＡ）をＲＰＭＩ培地中の２０μＣｉ／ｍＬまで希釈し、次いで、この溶液の２０μＬを、各ウェルに添加した。このプレートを３７℃にて８時間さらにインキュベートし、次いで、収集し、そして液体シンチレーションカウンターを用いて3Ｈ−チミジン取り込みについて分析した。
【０１０５】
１０μＭより小さいＩＣ50を有する、大腸癌増殖アッセイにおけるＥＲＫを阻害する本発明の選択された化合物としては：ＩＩ−４３、ＩＩ−４８、およびＩＩ−４５が挙げられる。
【０１０６】
（実施例８）
（ＪＡＫ阻害アッセイ）：ＪＡＫの化合物阻害を、以下の様式において、Ｇ．Ｒ．Ｂｒｏｗｎら、Ｂｉｏｏｒｇ．Ｍｅｄ．Ｃｈｅｍ．Ｌｅｔｔ．２０００，ｖｏｌ．１０，５７５〜５７９頁によって記載される方法によってアッセイし得る。ポリ（Ｇｌｕ、Ａｌａ、Ｔｙｒ）６：３：１で４℃にて前もって覆い、次いでリン酸緩衝化生理食塩水０．０５％およびＴｗｅｅｎ（ＰＢＳＴ）で洗浄した、Ｍａｘｉｓｏｒｂプレートに、２μＭ  ＡＴＰ、５ｍＭ  ＭｇＣｌ2、ＤＭＳＯ中の化合物の溶液を添加する。反応を、ＪＡＫ酵素を用いて開始し、そしてこのプレートを３０℃にて６０分間インキュベートする。次いで、このプレートをＰＢＳＴで洗浄し、１００μＬ  ＨＲＰ−結合体化４Ｇ１０抗体を添加し、そしてこのプレートを３０℃にて９０分間インキュベートする。このプレートを、再びＰＢＳＴで洗浄し、１００μＬ  ＴＭＢ溶液を添加し、次いで、このプレートを３０℃にて別の３０分間インキュベートする。硫酸（１Ｍの１００μＬ）を添加し、反応を止め、そしてこのプレートを４５０ｎＭで読み出し、分析のための吸光度を得、ＩＣ50値を決定する。
【０１０７】
（実施例９）
（ＪＮＫ阻害アッセイ）：化合物を分光光度結合酵素アッセイを用いて、ＪＮＫを阻害するためのそれらの能力について以下の様式でスクリーニングした。０．１Ｍ  ＨＥＰＥＳ緩衝液（ｐＨ７．５）、１０ｍＭ  ＭｇＣｌ2、２．５ｍＭのホスホエノールピルベート、２００μＭ  ＮＡＤＨ、１５０μｇ／ｍＬのピルベートキナーゼ、５０μｇ／ｍＬのラクテートデヒドロゲナーゼ、および２００μＭ  ＥＧＦレセプターペプチド（配列ＫＲＥＬＶＥＰＬＴＰＳＧＥＡＰＮＱＡＬＬＲを有する）を含むアッセイ貯蔵緩衝溶液に、種々の濃度のＤＭＳＯ中の化合物および固定した濃度（１０ｎＭ）の活性化ＪＮＫを添加した。生じた混合物を、３０℃にて１０分間インキュベートし、次いで、この反応を１０μＭ  ＡＴＰの添加により開始した。３０℃での３４０ｎＭにおける吸収の減少を、時間の関数としてモニターし、そして得たデータを競合する阻害動力学的モデルにフィットし、Ｋｉを決定した。
【０１０８】
表５は、ＪＮＫ阻害アッセイにおいて本発明の選択された化合物の活性の結果を示す。この化合物番号は、表１中の化合物番号に対応する。「Ａ」として示される活性を有する化合物は、１マイクロモル未満のＫｉ値をもたらし；「Ｂ」として示される活性を有する化合物は、１と５マイクロモルとの間のＫｉ値をもたらし；そして「Ｃ」として示される活性を有する化合物は、５マイクロモルより大きいＫｉ値をもたらす。
【０１０９】
【表５】
0004783532.tif 000036
（実施例１０）
（Ａｕｒｏｒａ阻害アッセイ）：化合物を、標準結合酵素アッセイを用いてＡｕｒｏｒａを阻害するためのそれらの能力について以下の様式でスクリーニングした。０．１Ｍ  ＨＥＰＥＳ  ７．５、１０ｍＭ  ＭｇＣｌ2、２５ｍＭ  ＮａＣｌ、２．５ｍＭのホスホエノールピルベート、３００μＭ  ＮＡＤＨ、３０μｇ／ｍＬのピルベートキナーゼ、１０μｇ／ｍＬのラクテートデヒドロゲナーゼ、４０μＭ  ＡＴＰ、および８００μＭのペプチド（ＬＲＲＡＳＬＧ、Ａｍｅｉｃａｎ  Ｐｅｐｔｉｄｅ、Ｓｕｎｎｙｖａｌｅ、ＣＡ）を含むアッセイ貯蔵緩衝溶液に、ＤＭＳＯ中の化合物の３０μＭの溶液を添加し、そして生じた混合物を、３０℃にて１０分間インキュベートした。この反応を、７０ｎＭのＡｕｒｏｒａおよび１ｍＭ  ＤＴＴの１０μＬを添加することによって開始した。反応の速度を、ＢｉｏＲａｄ  Ｕｌｔｒａｍａｒｋプレートリーダー（Ｈｅｒｃｕｌｅｓ，ＣＡ）を用いて、３０℃にて３４０ｎＭでの吸光度を５分にわたる読み出しにてモニターすることによって得た。ＩＣ50を、インヒビターの濃度の関数としての速度データから決定した。
【０１１０】
表６は、Ａｕｒｏｒａ２阻害アッセイにおける本発明の選択された化合物の活性の結果を示す。この化合物の番号は、表１中の化合物の番号と対応する。「Ａ」として示される活性を有する化合物は、５マイクロモル未満のＩＣ50値をもたらし；「Ｂ」として示される活性を有する化合物は、５と１０マイクロモルとの間のＩＣ50値をもたらし；そして「Ｃ」として示される活性を有する化合物は、１０マイクロモルより大きいＩＣ50値をもたらした。
【０１１１】
【表６】
0004783532.tif 000037
（実施例１１）
（ＧＳＫ−３阻害アッセイ）：化合物を、標準結合酵素アッセイ（Ｆｏｘら（１９９８）Ｐｒｏｔｅｉｎ  Ｓｃｉ  ７、２２４９）を用いてグリコーゲンシンターゼキナーゼ３（ＧＳＫ−３）を阻害するためのそれらの能力について以下の様式でスクリーニングした。０．１Ｍ  ＨＥＰＥＳ  ７．５、１０ｍＭ  ＭｇＣｌ2、２５ｍＭ  ＮａＣｌ、２．５ｍＭのホスホエノールピルベート、３００μＭ  ＮＡＤＨ、１ｍＭ  ＤＴＴ、３０μｇ／ｍＬのピルベートキナーゼ、１０μｇ／ｍＬのラクテートデヒドロゲナーゼ、３００μＭのペプチド（ＨＳＳＰＨＱｐ−ＳＥＤＥＥＥ、Ａｍｅｉｃａｎ  Ｐｅｐｔｉｄｅ、Ｓｕｎｎｙｖａｌｅ、ＣＡ）、および６０ｎＭ  ＧＳＫ−３を含むアッセイ貯蔵緩衝溶液に、ＤＭＳＯ中の化合物の３０μＭの溶液を添加し、そして生じた混合物を、３０℃にて５分間インキュベートした。この反応を、１０μＭ  ＡＴＰを添加することによって開始した。反応の速度を、Ｍｏｌｅｃｕｌａｒ  Ｄｅｖｉｃｅｓプレートリーダー（Ｓｕｎｎｙｖａｌｅ，ＣＡ）を用いて、３０℃にて３４０ｎＭでの吸光度を５分にわたる読み出しにてモニターすることによって得た。ＩＣ50を、インヒビターの濃度の関数としての速度データから決定した。
【０１１２】
表７は、ＧＳＫ−３阻害アッセイにおける本発明の選択された化合物の活性の結果を示す。この化合物番号は、表１中の化合物の番号と対応する。「Ａ」として示される活性を有する化合物は、１０マイクロモル未満のＩＣ50値をもたらし；「Ｂ」として示される活性を有する化合物は、１０と２０マイクロモルとの間のＩＣ50値をもたらし；そして「Ｃ」として示される活性を有する化合物は、２０マイクロモルより大きいＩＣ50値をもたらした。
【０１１３】
【表７】
0004783532.tif 000038
（実施例１２）
（ＫＤＲ阻害アッセイ）：化合物を、標準結合酵素アッセイ（Ｆｏｘら（１９９８）Ｐｒｏｔｅｉｎ  Ｓｃｉ  ７、２２４９）を用いてＫＤＲを阻害するためのそれらの能力について以下の様式でスクリーニングした。アッセイを２００ｍＭ  ＨＥＰＥＳ  ７．５、１０ｍＭ  ＭｇＣｌ2、２５ｍＭ  ＮａＣｌ、１ｍＭ  ＤＴＴおよび１．５％  ＤＭＳＯの混合物中で実施した。このアッセイにおける最終基質濃度は、３００μＭ  ＡＴＰ（Ｓｉｇｍａ  Ｃｈｅｍｉｃａｌｓ）および１０μＭのポリＥ４Ｙ（Ｓｉｇｍａ）であった。アッセイを３７℃にてかつ３０ｎＭ  ＫＤＲにて実行した。結合酵素システムの成分の最終濃度は、２．５ｍＭのホスホエノールピルベート、２００μＭ  ＮＡＤＨ、３０μｇ／ＭＬのピルベートキナーゼおよび１０μｇ／ｍｌのラクテートデヒドロゲナーゼであった。
【０１１４】
ＡＴＰおよび目的の試験化合物を除く、上記に列挙した試薬の全てを含むアッセイ貯蔵緩衝溶液を、調製した。１７７μｌの貯蔵溶液を、９６ウェルプレート中に配置し、続いて、３μｌの２ｍＭ  ＤＭＳＯ貯蔵溶液（試験化合物（最終化合物濃度３０μＭ）を含む）を添加した。このプレートを３７℃にて約１０分間予めインキュベートし、そしてこの反応を２０μｌのＡＴＰ（最終濃度３００μＭ）の添加によって開始した。反応速度を、Ｍｏｌｅｃｕｌａｒ  Ｄｅｖｉｃｅｓプレートリーダー（Ｓｕｎｎｙｖａｌｅ，ＣＡ）を用いて、３７℃にて５分にわたる読み出しにて得た。アッセイ混合物および試験化合物を含まないＤＭＳＯを含む標準ウェルに対して５０％より大きい阻害を示す化合物を、ＩＣ50値を決定するために粉砕した。
【０１１５】
４０％より大きい阻害を有する、上記のアッセイにおいて２μＭの濃度におけるＫＤＲを阻害する本発明の選択された化合物としては：ＩＩ−４３、ＩＩ−４８、ＩＩ−３０４、およびＩＩ−３０５が挙げられる。
【０１１６】
（実施例１３）
（ＡＫＴ阻害アッセイ）：化合物を、標準結合酵素アッセイ（Ｆｏｘら（１９９８）Ｐｒｏｔｅｉｎ  Ｓｃｉ  ７、２２４９）を用いてＡＫＴを阻害するためのそれらの能力について以下の様式でスクリーニングした。アッセイを１００ｍＭ  ＨＥＰＥＳ  ７．５、１０ｍＭ  ＭｇＣｌ2、２５ｍＭ  ＮａＣｌ、１ｍＭ  ＤＴＴおよび１．５％  ＤＭＳＯの混合物中で実施した。このアッセイにおける最終基質濃度は、１７０μＭ  ＡＴＰ（Ｓｉｇｍａ  Ｃｈｅｍｉｃａｌｓ）および２００μＭのペプチド（ＲＰＲＡＡＴＦ、Ａｍｅｒｉｃａｎ  Ｐｅｐｔｉｄｅ，Ｓｕｎｎｙｖａｌｅ，ＣＡ）であった。アッセイを３０℃にてかつ４５ｎＭ  ＡＫＴにて実行した。結合酵素システムの成分の最終濃度は、２．５ｍＭのホスホエノールピルベート、３００μＭ  ＮＡＤＨ、３０μｇ／ＭＬのピルベートキナーゼおよび１０μｇ／ｍｌのラクテートデヒドロゲナーゼであった。
【０１１７】
ＡＫＴ、ＤＴＴおよび目的の試験化合物を除く、上記に列挙した試薬の全てを含むアッセイ貯蔵緩衝溶液を、調製した。５６μｌの貯蔵溶液を、３８４ウェルプレート中に配置し、続いて、１μｌの２ｍＭ  ＤＭＳＯ貯蔵溶液（試験化合物（最終化合物濃度３０μＭ）を含む）を添加した。このプレートを３０℃にて約１０分間予めインキュベートし、そしてこの反応を１０μｌの酵素（最終濃度４５ｎＭ）および１ｍＭ  ＤＴＴの添加によって開始した。反応速度を、ＢｉｏＲｅｄ  Ｕｌｔｒａｍａｒｋプレートリーダー（Ｈｅｒｃｕｌｅｓ，ＣＡ）を用いて、３０℃にて５分にわたる読み出しにて得た。アッセイ混合物および試験化合物を含まないＤＭＳＯを含む標準ウェルをに対して５０％より大きい阻害を示す化合物を、ＩＣ50値を決定するために粉砕した。
【０１１８】
ＡＫＴを阻害する本発明の選択された化合物としては：ＩＩ−８９、ＩＩ−９４、およびＩＩ−３０５が挙げられる。
【０１１９】
本発明者らは、多くの本発明の実施形態を記載したきたが、本発明者らの基本的な例が、本発明の化合物および方法を利用する他の実施形態を提供するために変更され得ることは、当業者に明らかである。従って、本発明の範囲は、実施例によって表されてきた特定の実施形態よりむしろ、添付の特許請求の範囲によって規定されるべきであることが、理解される。